(57)【要約】【課題】  複数の電流経路を有するチップ抵抗器において、トリミングの回数を減らして生産性を向上させるとともに、トリミングのスタート位置や抵抗層の形成位置がずれても、電流経路の幅が不均一となることがないチップ抵抗器を提供する。【解決手段】  チップ抵抗器Ａ２は、絶縁基板１０と、上面電極２２ａ、２２ｂと、抵抗体１３０とを有し、抵抗体１３０は、抵抗体１３０ａと、抵抗体１３０ｂと、抵抗体１３０ｃとを有し、抵抗体１３０ｂは、抵抗体１３０ａ、１３０ｃに比べて幅広に形成されていて、抵抗体１３０ｂにはトリミングカーフ１３２ａ、１３２ｂが形成されていて、各トリミングカーフ１３２ａ、１３２ｂは、抵抗体１３０ｂの端部から形成されている。これにより、幅α４は、幅α１や幅α３と同一に形成されている。【選択図】        図５
2005123424.tif 000002
【特許請求の範囲】
【請求項１】
チップ抵抗器であって、
上面が略方形状を呈する絶縁基板と、
該絶縁基板の上面における相対する辺部に沿って設けられた上面電極と、
該一対の上面電極間を接続するように設けられた抵抗体で、複数の電流経路を有し、該複数の電流経路のうち一部にはトリミングカーフが設けられ、他の電流経路にはトリミングカーフが設けられていない抵抗体と、
を有することを特徴とするチップ抵抗器。
【請求項２】
チップ抵抗器であって、
上面が略長方形状を呈する絶縁基板と、
該絶縁基板の上面における相対する長手辺に沿って設けられた上面電極と、
該一対の上面電極間を接続するように設けられた抵抗体で、複数の電流経路でそのうちの一部にトリミングカーフが設けられた電流経路を有し、該複数の電流経路においてトリミングカーフを設ける前の各電流経路の最小幅である基本電流経路幅を比較した場合に、少なくとも１つの電流経路についての基本電流経路幅が他の少なくとも１つの電流経路の基本電流経路幅よりも大きく形成され、該トリミングカーフは、該基本電流経路幅が他の少なくとも１つの電流経路の基本電流経路幅よりも大きく形成された電流経路のうちの少なくとも一部に形成されている抵抗体と、
を有することを特徴とするチップ抵抗器。
【請求項３】
チップ抵抗器であって、
上面が略長方形状を呈する絶縁基板と、
該絶縁基板の上面における相対する長手辺に沿って設けられた上面電極と、
該一対の上面電極間を接続するように設けられた抵抗体で、複数の電流経路でそのうちの一部にトリミングカーフが設けられた電流経路を有し、該トリミングカーフが設けられている電流経路において該トリミングカーフを設ける前の電流経路の最小幅が第１の幅を有し、一方、該トリミングカーフが設けられていない電流経路の最小幅が該第１の幅よりも小さい第２の幅を有している抵抗体と、
を有することを特徴とするチップ抵抗器。
【請求項４】
上記抵抗体が、上記一対の上面電極間に設けられた複数の個別抵抗体を有し、該複数の個別抵抗体によって複数の電流経路が形成されていることを特徴とする請求項１又は２又は３に記載のチップ抵抗器。
【請求項５】
上記抵抗体が、上記長手辺に平行な方向に沿って形成された１又は複数の開口部を有し、該開口部によって複数の電流経路が形成されていることを特徴とする請求項１又は２又は３に記載のチップ抵抗器。
【請求項６】
チップ抵抗器であって、
上面が略長方形状を呈する絶縁基板と、
該絶縁基板の上面における相対する長手辺に沿って設けられた上面電極と、
該一対の上面電極間を接続するように設けられた抵抗体で、上記長手辺に平行な方向に沿って形成された１又は複数の開口部を形成することにより複数の電流経路が形成された抵抗体で、該複数の電流経路の一部にトリミングカーフが設けられ、該複数の電流経路においてトリミングカーフを設ける前の各電流経路の最小幅である基本電流経路幅を比較した場合に、少なくとも１つの電流経路についての基本電流経路幅が他の少なくとも１つの電流経路の基本電流経路幅よりも大きく形成され、該トリミングカーフは、該基本電流経路幅が他の少なくとも１つの電流経路の基本電流経路幅よりも大きく形成された電流経路のうちの少なくとも一部に形成されている抵抗体と、
を有することを特徴とするチップ抵抗器。
【請求項７】
上記トリミングカーフは上記開口部とつながって形成されていることを特徴とする請求項５又は６に記載のチップ抵抗器。
【請求項８】
上記トリミングカーフが形成されている電流経路の最小幅と、トリミングカーフが形成されていない電流経路の最小幅は、略同一に形成されていることを特徴とする請求項１又は２又は３又は４又は５又は６又は７に記載のチップ抵抗器。
【請求項９】
上記複数の電流経路は、トリミングカーフが設けられている電流経路においてトリミングカーフが設けられる前の最小幅が第１の幅を有し、トリミングカーフが設けられていない電流経路の幅が該第１の幅よりも小さい第２の幅を有することを特徴とする請求項１又は２又は３又は４又は５又は６又は７又は８に記載のチップ抵抗器。
【請求項１０】
上記抵抗体は、平面視において、上面電極間方向の中心線を介して線対称の形状を呈し、トリミングカーフも該中心線を介して線対称となるように形成されていることを特徴とする請求項１又は２又は３又は４又は５又は６又は７又は８又は９に記載のチップ抵抗器。
【請求項１１】
チップ抵抗器であって、
上面が略長方形状を呈する絶縁基板と、
該絶縁基板の上面における相対する長手辺に沿って設けられた上面電極と、
該一対の上面電極間を接続するように設けられた複数の個別抵抗体で、そのうちの一部にトリミングカーフが設けられた複数の個別抵抗体で、トリミングカーフを設ける前の各個別抵抗体の最小幅である基本抵抗体幅を比較した場合に、少なくとも１つの個別抵抗体の基本抵抗幅が他の少なくとも１つの個別抵抗体の基本抵抗体幅よりも大きく形成され、該トリミングカーフは、該基本抵抗体幅が他の少なくとも１つの個別抵抗体の基本抵抗体幅よりも大きく形成された個別抵抗体のうちの少なくとも一部に形成されている抵抗体と、
を有することを特徴とするチップ抵抗器。
【請求項１２】
上記トリミングカーフは個別抵抗体の端部から形成されていて、該個別抵抗体の電流経路の最小幅は、トリミングカーフ形成位置の個別抵抗体の幅であることを特徴とする請求項４又は１１に記載のチップ抵抗器。
【請求項１３】
上記トリミングカーフが形成されている個別抵抗体の電流経路の最小幅と、トリミングカーフが形成されていない個別抵抗体の電流経路の最小幅は、略同一に形成されていることを特徴とする請求項４又は１１又は１２に記載のチップ抵抗器。
【請求項１４】
上記複数の個別抵抗体は、トリミングカーフが設けられている個別抵抗体のトリミングカーフが設けられていない状態の幅が第１の幅を有し、トリミングカーフが設けられていない個別抵抗体の幅が該第１の幅よりも小さい第２の幅を有することを特徴とする請求項４又は１１又は１２又は１３に記載のチップ抵抗器。
【請求項１５】
上記複数の個別抵抗体からなる抵抗体は、平面視において、上面電極間方向の中心線を介して線対称の形状を呈し、トリミングカーフも該中心線を介して線対称となるように形成されていることを特徴とする請求項４又は１１又は１２又は１３又は１４に記載のチップ抵抗器。
【請求項１６】
上記抵抗体は、トリミングカーフ形成前の状態において、平面視において、上面電極間方向の中心線を介して線対称の形状を呈することを特徴とする請求項１又は２又は３又は４又は５又は６又は７又は８又は９又は１０又は１１又は１２又は１３又は１４又は１５に記載のチップ抵抗器。
【発明の詳細な説明】
【技術分野】
【０００１】
本発明は、チップ抵抗器、特に、チップ固定抵抗器に関するものである。
【背景技術】
【０００２】
従来より、特許文献１に示すように、チップ抵抗器において複数の電流経路を有するものが存在する。
【特許文献１】特開２００２−７５７０４号公報  この特許文献１においては、上面電極層間に複数の抵抗層が設けられ、各抵抗層にトリミングカーフ（「トリミング溝」としてもよい）が設けられている。例えば、特許文献１における第３実施例においては、上面電極層間に２つの抵抗層が設けられ、各抵抗層にトリミングカーフが設けられている。また、特許文献１の第４実施例には、抵抗層の中央に無抵抗部が設けられ、該無抵抗部の両側にトリミングカーフが設けられている。また、特許文献１の第１実施例や第２実施例においては、抵抗層の内部にトリミングカーフが設けられている。つまり、特許文献１の第１実施例においては、抵抗層の中央にトリミングカーフが設けられ、また、特許文献１の第２実施例においては、抵抗層の内部に２つのトリミングカーフが設けられている。
【発明の開示】
【発明が解決しようとする課題】
【０００３】
しかし、上記特許文献１において、その第３実施例のように複数の抵抗層が設けられている場合の例では、各抵抗層にトリミングカーフが設けられるので、トリミング回数が増えてしまい生産性が低下するという問題がある。また、特許文献１の第４実施例のように、無抵抗部の両側にトリミングカーフが設けられる例の場合にも、無抵抗部の両側に２つのトリミングカーフを設けなければならないため、この場合にも、トリミング回数が増えてしまい生産性が低下するという問題がある。
【０００４】
また、特許文献１の第１実施例や第２実施例の場合には、抵抗層の内部にトリミングカーフが設けられているため、トリミングのスタート位置がずれたり、抵抗層の形成位置がずれてしまうと、電流経路の幅が不均一となり、電流経路の狭い部分が電流経路の広い部分に比べて電気的特性や耐久性が低下するという問題がある。例えば、本来抵抗体の中央に横長のトリミングカーフを設けるべきところ、トリミングのスタート位置がずれたり、抵抗層の形成位置がずれてしまうことにより、トリミングカーフが抵抗体に対してずれてしまうと、電流経路の幅が狭い電流経路が形成されてしまい、その電流経路の電気的特性や耐久性が低下してしまう。
【０００５】
そこで、本発明は、複数の電流経路を有するチップ抵抗器において、トリミングの回数を減らして生産性を向上させることができるチップ抵抗器を提供するとともに、さらには、該目的に加えて、トリミングのスタート位置や抵抗層の形成位置がずれても、電流経路の幅が不均一となることがないチップ抵抗器を提供することを目的とするものである。
【課題を解決するための手段】
【０００６】
本発明は上記問題点を解決するために創作されたものであって、第１には、チップ抵抗器であって、上面が略方形状を呈する絶縁基板と、該絶縁基板の上面における相対する辺部に沿って設けられた上面電極と、該一対の上面電極間を接続するように設けられた抵抗体で、複数の電流経路を有し、該複数の電流経路のうち一部にはトリミングカーフが設けられ、他の電流経路にはトリミングカーフが設けられていない抵抗体と、を有することを特徴とするチップ抵抗器。
【０００７】
この第１の構成のチップ抵抗器においては、複数の電流経路のうちその一部にのみトリミングカーフが設けられているので、複数の電流経路の全てにトリミングカーフを形成する場合に比べてトリミング作業の手間を小さくでき、チップ抵抗器製造に際しての作業性を向上させることができる。
【０００８】
なお、第１の構成を以下のようにしてもよい。つまり、「チップ抵抗器であって、上面が略方形状を呈する絶縁基板と、該絶縁基板の上面における相対する辺部に沿って設けられた上面電極と、該一対の上面電極間を接続するように設けられた抵抗体で、複数の電流経路を有し、該複数の電流経路は、トリミングカーフが設けられている電流経路と、トリミングカーフが設けられていない電流経路とから構成される抵抗体と、を有することを特徴とするチップ抵抗器。」としてもよい。
【０００９】
また、第２には、チップ抵抗器であって、上面が略長方形状を呈する絶縁基板と、該絶縁基板の上面における相対する長手辺に沿って設けられた上面電極と、該一対の上面電極間を接続するように設けられた抵抗体で、複数の電流経路でそのうちの一部にトリミングカーフが設けられた電流経路を有し、該複数の電流経路においてトリミングカーフを設ける前の各電流経路の最小幅である基本電流経路幅（「トリミングカーフを設ける前の各電流経路の幅である基本電流経路幅」としてもよい）を比較した場合に、少なくとも１つの電流経路についての基本電流経路幅が他の少なくとも１つの電流経路の基本電流経路幅よりも大きく形成され、該トリミングカーフは、該基本電流経路幅が他の少なくとも１つの電流経路の基本電流経路幅よりも大きく形成された電流経路のうちの少なくとも一部に形成されている抵抗体と、を有することを特徴とする。
【００１０】
この第２の構成のチップ抵抗器においては、トリミングカーフが、該基本電流経路幅が他の少なくとも１つの電流経路の基本電流経路幅よりも大きく形成された電流経路のうちの少なくとも一部に形成されているので、複数の電流経路の全てにトリミングカーフを形成する場合に比べてトリミング作業の手間を小さくでき、チップ抵抗器製造に際しての作業性を向上させることができる。また、トリミングカーフが設けられていない状態において電流経路の幅が大きいものにトリミングカーフが設けられているので、結果として、各電流経路の幅を均等にしやすくなり、その点で、ある特定の電流経路の領域の電気的特性や耐久性が他の領域に比べて低下することがない。
【００１１】
また、第３には、チップ抵抗器であって、上面が略長方形状を呈する絶縁基板と、該絶縁基板の上面における相対する長手辺に沿って設けられた上面電極と、該一対の上面電極間を接続するように設けられた抵抗体で、複数の電流経路でそのうちの一部にトリミングカーフが設けられた電流経路を有し、該トリミングカーフが設けられている電流経路において該トリミングカーフを設ける前の電流経路の最小幅（「トリミングカーフを設ける前の電流経路の幅」としてもよい）が第１の幅を有し、一方、該トリミングカーフが設けられていない電流経路の最小幅（「トリミングカーフが設けられていない電流経路の幅」としてもよい）が該第１の幅よりも小さい第２の幅を有している抵抗体と、を有することを特徴とする。
【００１２】
この第３の構成のチップ抵抗器においては、トリミングカーフが、該基本電流経路幅が他の少なくとも１つの電流経路の基本電流経路幅よりも大きく形成された電流経路のうちの少なくとも一部に形成されているので、複数の電流経路の全てにトリミングカーフを形成する場合に比べてトリミング作業の手間を小さくでき、チップ抵抗器製造に際しての作業性を向上させることができる。また、トリミングカーフが設けられていない状態において電流経路の幅が大きいものにトリミングカーフが設けられているので、結果として、各電流経路の幅を均等にしやすくなり、その点で、ある特定の電流経路の領域の電気的特性や耐久性が他の領域に比べて低下することがない。
【００１３】
また、第４には、上記第１から第３までのいずれかの構成において、上記抵抗体が、上記一対の上面電極間に設けられた複数の個別抵抗体を有し、該複数の個別抵抗体によって複数の電流経路が形成されていることを特徴とする。
【００１４】
また、第５には、上記第１から第３までのいずれかの構成において、上記抵抗体が、上記長手辺に平行な方向に沿って形成された１又は複数の開口部を有し、該開口部によって複数の電流経路が形成されていることを特徴とする。
【００１５】
また、第６には、チップ抵抗器であって、上面が略長方形状を呈する絶縁基板と、該絶縁基板の上面における相対する長手辺に沿って設けられた上面電極と、該一対の上面電極間を接続するように設けられた抵抗体で、上記長手辺に平行な方向に沿って形成された１又は複数の開口部を形成することにより複数の電流経路が形成された抵抗体で、該複数の電流経路の一部にトリミングカーフが設けられ、該複数の電流経路においてトリミングカーフを設ける前の各電流経路の最小幅である基本電流経路幅（「トリミングカーフを設ける前の各電流経路の幅である基本電流経路幅」としてもよい）を比較した場合に、少なくとも１つの電流経路についての基本電流経路幅が他の少なくとも１つの電流経路の基本電流経路幅よりも大きく形成され、該トリミングカーフは、該基本電流経路幅が他の少なくとも１つの電流経路の基本電流経路幅よりも大きく形成された電流経路のうちの少なくとも一部に形成されている抵抗体と、を有することを特徴とする。
【００１６】
この第６の構成のチップ抵抗器においては、トリミングカーフが、該基本電流経路幅が他の少なくとも１つの電流経路の基本電流経路幅よりも大きく形成された電流経路のうちの少なくとも一部に形成されているので、複数の電流経路の全てにトリミングカーフを形成する場合に比べてトリミング作業の手間を小さくでき、チップ抵抗器製造に際しての作業性を向上させることができる。また、トリミングカーフが設けられていない状態において電流経路の幅が大きいものにトリミングカーフが設けられているので、結果として、各電流経路の幅を均等にしやすくなり、その点で、ある特定の電流経路の領域の電気的特性や耐久性が他の領域に比べて低下することがない。
【００１７】
また、第７には、上記第５又は第６の構成において、上記トリミングカーフは上記開口部とつながって形成されていることを特徴とする。よって、トリミングカーフの形成位置や抵抗体の形成位置が多少ずれても抵抗体の内部からトリミングカーフが形成されることがなく、極端に電流経路の幅が小さい部分が形成されるおそれがない。
【００１８】
また、第８には、上記第１から第７までのいずれかの構成において、上記トリミングカーフが形成されている電流経路の最小幅と、トリミングカーフが形成されていない電流経路の最小幅は、略同一（「同一」としてもよい）に形成されていることを特徴とする。よって、各電流経路の幅を均一にでき、よって、ある特定の電流経路の領域の電気的特性や耐久性が他の領域に比べて低下することがない。
【００１９】
なお、この第８の構成を「上記トリミングカーフが形成されている電流経路の最小幅が、トリミングカーフが形成されていない電流経路の最小幅よりも大きいことを特徴とする。」としてもよい。
【００２０】
また、第９には、上記第１から第８までのいずれかの構成において、上記複数の電流経路は、トリミングカーフが設けられている電流経路においてトリミングカーフが設けられる前の最小幅が第１の幅を有し、トリミングカーフが設けられていない電流経路の幅が該第１の幅よりも小さい第２の幅を有することを特徴とする。なお、この場合、該第１の幅からトリミングカーフの長さを減ずると第２の幅になるようにするのが好ましい。
【００２１】
また、第１０には、上記第１から第９までのいずれかの構成において、上記抵抗体は、平面視において、上面電極間方向の中心線を介して線対称の形状を呈し、トリミングカーフも該中心線を介して線対称となるように形成されていることを特徴とする。よって、抵抗体において均等に負荷が加わり、抵抗体のある部分の電気的特性が他に比べて悪化することがない。
【００２２】
また、第１１には、チップ抵抗器であって、上面が略長方形状を呈する絶縁基板と、該絶縁基板の上面における相対する長手辺に沿って設けられた上面電極と、該一対の上面電極間を接続するように設けられた複数の個別抵抗体で、そのうちの一部にトリミングカーフが設けられた複数の個別抵抗体で、トリミングカーフを設ける前の各個別抵抗体の最小幅である基本抵抗体幅（「トリミングカーフを設ける前の各個別抵抗体の幅である基本抵抗体幅」としてもよい）を比較した場合に、少なくとも１つの個別抵抗体の基本抵抗幅が他の少なくとも１つの個別抵抗体の基本抵抗体幅よりも大きく形成され、該トリミングカーフは、該基本抵抗体幅が他の少なくとも１つの個別抵抗体の基本抵抗体幅よりも大きく形成された個別抵抗体のうちの少なくとも一部に形成されている抵抗体と、を有することを特徴とする。
【００２３】
この第１１の構成のチップ抵抗器においては、トリミングカーフが、該基本抵抗体幅が他の少なくとも１つの個別抵抗体の基本抵抗体幅よりも大きく形成された個別抵抗体のうちの少なくとも一部に形成されているので、複数の個別抵抗体の全てにトリミングカーフを形成する場合に比べてトリミング作業の手間を小さくでき、チップ抵抗器製造に際しての作業性を向上させることができる。また、トリミングカーフが設けられていない状態において電流経路の幅が大きい個別抵抗体にトリミングカーフが設けられているので、結果として、各個別抵抗体の電流経路の幅を均等にしやすくなり、その点で、ある特定の個別抵抗体の電気的特性や耐久性が他の個別抵抗体に比べて低下することがない。
【００２４】
また、第１２には、上記第４又は第１１の構成において、上記トリミングカーフは個別抵抗体の端部から形成されていて、該個別抵抗体の電流経路の最小幅は、トリミングカーフ形成位置の個別抵抗体の幅であることを特徴とする。よって、トリミングカーフの形成位置や抵抗体の形成位置が多少ずれても抵抗体の内部からトリミングカーフが形成されることがなく、極端に電流経路の幅が小さい部分が形成されるおそれがない。
【００２５】
また、第１３には、上記第４又は第１１又は第１２の構成において、上記トリミングカーフが形成されている個別抵抗体の電流経路の最小幅と、トリミングカーフが形成されていない個別抵抗体の電流経路の最小幅は、略同一（「同一」としてもよい）に形成されていることを特徴とする。よって、各電流経路の幅を均一にでき、よって、ある特定の電流経路の領域の電気的特性や耐久性が他の領域に比べて低下することがない。
【００２６】
なお、この第１３の構成を「上記トリミングカーフが形成されている個別抵抗体の電流経路の最小幅が、トリミングカーフが形成されていない個別抵抗体の電流経路の最小幅よりも大きいことを特徴とする。」としてもよい。
【００２７】
また、第１４には、上記第４又は第１１又は第１２又は第１３の構成において、上記複数の個別抵抗体は、トリミングカーフが設けられている個別抵抗体のトリミングカーフが設けられていない状態の幅が第１の幅を有し、トリミングカーフが設けられていない個別抵抗体の幅が該第１の幅よりも小さい第２の幅を有することを特徴とする。なお、この場合、該第１の幅からトリミングカーフの長さを減ずると第２の幅になるようにするのが好ましい。
【００２８】
また、第１５には、上記第４又は第１１又は第１２又は第１３又は第１４の構成において、上記複数の個別抵抗体からなる抵抗体は、平面視において、上面電極間方向の中心線を介して線対称の形状を呈し、トリミングカーフも該中心線を介して線対称となるように形成されていることを特徴とする。よって、抵抗体において均等に負荷が加わり、抵抗体のある部分の電気的特性が他に比べて悪化することがない。
【００２９】
また、第１６には、上記第１から第１５までのいずれかの構成において、上記抵抗体は、トリミングカーフ形成前の状態において、平面視において、上面電極間方向の中心線を介して線対称の形状を呈することを特徴とする。よって、トリミングカーフ形成時に１８０度方向を誤った場合でも正しくトリミングを行うことができる。
【００３０】
なお、上記の各構成において、トリミングカーフは、上面電極間方向とは直角の方向、つまり、絶縁基板の長手辺方向に形成するのが好ましい。
【発明の効果】
【００３１】
本発明に基づくチップ抵抗器によれば、複数の電流経路のうちその一部にのみトリミングカーフが設けられているので、複数の電流経路の全てにトリミングカーフを形成する場合に比べてトリミング作業の手間を小さくでき、チップ抵抗器製造に際しての作業性を向上させることができる。また、トリミングカーフが設けられていない状態において電流経路の幅が大きいものにトリミングカーフが設けられているので、結果として、各電流経路の幅を均等にしやすくなり、その点で、ある特定の電流経路の領域の電気的特性や耐久性が他の領域に比べて低下することがない。
【発明を実施するための最良の形態】
【００３２】
本発明では、チップ抵抗器において、複数の電流経路の全てにトリミングカーフを形成する場合に比べてトリミング作業の手間を小さくでき、チップ抵抗器製造に際しての作業性を向上させるという目的や、さらには、ある特定の電流経路の領域の電気的特性や耐久性が他の領域に比べて低下しないようにするという目的を、チップ抵抗器における抵抗体を、複数の電流経路を有し、該複数の電流経路のうち一部にはトリミングカーフが設けられ、他の電流経路にはトリミングカーフが設けられていないように構成する等して、以下のようにして実現した。
【実施例１】
【００３３】
まず、実施例１のチップ抵抗器について説明する。実施例１のチップ抵抗器Ａ１は、図１〜図３に示すように、絶縁基板１０と、電極部２０と、抵抗体３０と、保護膜４０とを有している。なお、図１、図３においては、側面電極２４と、メッキ２６と、保護膜４０等は省略した状態の平面図として描かれている。この点は、実施例２以降の実施例の説明に使用する図５〜図１２においても同様である。
【００３４】
ここで、絶縁基板１０は、主にアルミナで構成されていて、略直方体形状を呈し、平面視すると略長方形状を呈している。つまり、その上面は、長方形状を呈している。特に、絶縁基板１０は、平面視において、横長の長方形状を呈していて、電極部間方向（Ｘ方向）よりも該電極部間方向に直角な方向である幅方向（Ｙ方向）の方が大きく形成されている。
【００３５】
次に、電極部２０は、絶縁基板１０の電極部間方向の両端部にそれぞれ設けられていて、電極部２０ａと電極部２０ｂから構成されている。電極部２０ａは、上面電極２２ａと、側面電極２４と、メッキ２６とを有しており、電極部２０ｂは、上面電極２２ｂと、側面電極２４と、メッキ２６とを有している。
【００３６】
ここで、上面電極２２ａと上面電極２２ｂは、絶縁基板１０の短手方向の両端に互いに向き合う状態で層状に形成されている。つまり、上面電極２２ａは、絶縁基板１０の上面に絶縁基板の長手辺に沿った一方の端部に該長手辺に沿って帯状に形成されている。また、上面電極２２ｂは、絶縁基板１０の上面に絶縁基板の長手辺に沿った他方の端部に該長手辺に沿って帯状に形成されている。この上面電極２２ａと上面電極２２ｂとは、通常、銀系厚膜により形成されている。
【００３７】
側面電極２４は、上面電極２２ａ、上面電極２２ｂの一部を被覆するとともに、絶縁基板１０の側面や下面の一部をも被覆するように断面略コ字状に層状に形成されている。なお、側面電極２４は、電極部２０ａにおいては上面電極２２ａの一部を被覆し、電極部２０ｂにおいては上面電極２２ｂの一部を被覆している。つまり、側面電極２４は、絶縁基板１０の相対する長手辺に沿ってそれぞれ形成されている。この側面電極２４の上面部分は、図３のハッチングに示す領域に設けられている。なお、この側面電極２４は、銀系メタルグレース厚膜又は銀系樹脂厚膜又は金属薄膜等により形成されている。
【００３８】
また、メッキ２６は、側面電極２４を被覆するとともに、上面電極２２ａ、２２ｂの露出部分や保護膜４０の一部を被覆し、さらに、絶縁基板１０の下面の一部や絶縁基板１０のＹ方向の側面の一部とを被覆するように層状に形成されており、このメッキ２６は、ニッケルメッキ２６−１と錫メッキ２６−２とを有している。ニッケルメッキ２６−１と錫メッキ２６−２とはともに層状に形成されており、ニッケルメッキ２６−１が内側で錫メッキ２６−２が外側に形成されている。なお、錫メッキ２６−２は、はんだメッキとしてもよい。
【００３９】
また、抵抗体３０は、図１、図３に示すように、抵抗体（個別抵抗体）３０ａと、抵抗体（個別抵抗体）３０ｂとから構成されていて、抵抗体３０ａと抵抗体３０ｂとはともに絶縁基板１０の上面に層状に形成されており、抵抗体３０ａ、３０ｂの端部は上面電極２２ａ、２２ｂの上面に積層している。ここで、抵抗体３０ａは平面視において方形状を呈し、抵抗体３０ｂは平面視において略方形状を呈している。つまり、抵抗体３０ｂは、方形状の形状にトリミングカーフ３２を形成した形状を呈している点で略方形状であるといえる。つまり、抵抗体３０ｂは、もともと方形状を呈するが、トリミングカーフ３２が形成されている。このトリミングカーフ３２は、抵抗体３０ｂにおける抵抗体３０ａ側の端部（すなわち、辺部）からＹ方向に直線状に形成されている。このトリミングカーフ３２は、抵抗体３０ｂを含めて抵抗体３０全体の抵抗値を所定の値に調整するために形成されたものであり、従来と同様に、レーザートリマを用いて形成されたものである。なお、トリミングカーフ３２の形状を直線状としたが、これには限られず、例えば、Ｌ字状としてもよい。
【００４０】
ここで、抵抗体３０ｂのＹ方向の幅α２（第１の幅）は、抵抗体３０ａのＹ方向の幅α１（第２の幅）よりも大きく形成されている。また、抵抗体３０ｂにおけるトリミングカーフ３２が設けられている部分以外のＹ方向の幅α３、つまり、トリミングカーフ３２の先端とトリミングカーフ３２が設けられた辺部と相対する辺部までの距離α３は、幅α１と同一又は略同一となっている。つまり、抵抗体３０ａの電極経路の最小幅と、抵抗体３０ｂの電流経路の最小幅とは、同一又は略同一に形成されている。つまり、抵抗体３０ｂにＹ方向にトリミングカーフを設けることにより、電流経路の最小幅を抵抗体３０ａと同一にしている。
【００４１】
ここで、上記幅α１や幅α２は、上記「基本電流経路幅」や「基本抵抗体幅」に当たり、また、上記幅α１や幅α３は、上記「電流経路の最小幅」に当たり、また、上記幅α１は、「トリミングカーフが形成されていない電流経路の最小幅 」、「トリミングカーフが形成されていない個別抵抗体の電流経路の最小幅 」に当たり、また、上記幅α３は、「トリミングカーフが形成されている電流経路の最小幅」や「トリミングカーフが形成されている個別抵抗体の電流経路の最小幅」に当たる。
【００４２】
また、保護膜４０は、図３に示すように、抵抗体３０の上面を被覆するように形成されている。この保護膜４０は、ほう珪酸鉛ガラス又は合成樹脂（エポキシ、フェノール、シリコン等）により形成されている。
【００４３】
上記構成のチップ抵抗器Ａ１の製造方法としては、概ね以下のようになる。すなわち、一次分割用のスリット及び二次分割用のスリットが形成されたアルミナ基板の上面に上面電極２２ａ、２２ｂを形成し、次に、抵抗体３０ａ、３０ｂを形成する。つまり、抵抗体３０ａと、トリミングカーフ３２が形成されていない抵抗体３０ｂ（つまり、トリミングカーフ３２が形成される前の状態の抵抗体３０ｂ）を形成し（つまり、各抵抗体の抵抗体ペーストを印刷した後に、乾燥・焼成する）、その後、抵抗体３０ｂのトリミングを行ってトリミングカーフ３２を形成する。つまり、抵抗体３０ｂの抵抗体３０ａ側の端部からトリミングカーフを形成していき、上面電極２２ａと上面電極２２ｂ間の抵抗値が所定の値になるまでトリミングしていく。なお、抵抗体３０ｂにトリミングカーフを形成していって抵抗体３０ｂのトリミングカーフが形成されていない領域の幅α３が抵抗体３０ａの幅α１と同一又はほぼ同一になった場合に、所定の抵抗値又は該抵抗値に近い抵抗値となるように、抵抗体３０ａとトリミングカーフ形成前の抵抗体３０ｂを形成しておく。つまり、抵抗体３０ａのＹ方向の幅や抵抗体３０ｂのＹ方向の幅と、上面電極２２ａと上面電極２２ｂ間の抵抗値が所定の値となる場合のトリミングカーフのＹ方向の長さとの関係のデータを入手しておき、幅α１と幅α３とが同一又はほぼ同一となった場合に所定の抵抗値となるように、幅α１の長さと幅α２の長さと各抵抗体のＸ方向の長さを設定しておく。また、トリミングに当たっては、抵抗体３０ｂの端部よりも抵抗体３０ａよりの位置からトリミングを開始して、抵抗体３０ｂの内部からトリミングカーフが形成されるのを防止するようにする。
【００４４】
その後、保護膜４０を形成し、保護膜４０を形成したら、一次分割用スリットに沿って短冊状に分割する。分割を行ったら、側面電極２４を形成する。この側面電極２４の形成に際しては、１つの短冊状基板においては、同時に側面電極２４を形成する。この側面電極２４形成後には、二次分割用スリットに沿って分割を行い、分割を行ったらニッケルメッキ２６−１と錫メッキ２６−２とを形成する。
【００４５】
上記構成のチップ抵抗器Ａ１の配線基板への実装においては、図４に示すように行われる。つまり、チップ抵抗器Ａ１は、配線基板５４上に形成されたランド５２にハンダフィレット５０を介して実装される。つまり、ハンダフィレット５０は、チップ抵抗器Ａ１の長手方向に沿って形成されることになる。
【００４６】
上記構成のチップ抵抗器Ａ１によれば、幅広の抵抗体３０ｂと幅狭の抵抗体３０ａとが設けられ、幅広の抵抗体３０ｂのみにトリミングカーフが設けられるので、抵抗体３０ａと抵抗体３０ｂの両方にトリミングカーフを形成する場合に比べてトリミング作業の手間を小さくでき、チップ抵抗器製造に際しての作業性を向上させることができる。
【００４７】
また、抵抗体３０ａの電流経路の最小幅（つまり、α１）と抵抗体３０ｂの電流経路の最小幅（つまり、α３）とを同一又はほぼ同一にするので、電流経路の最小幅を均一にでき、よって、一方の抵抗体の電気的特性や耐久性が他方に比べて低下することがない。また、特に、トリミングに際しては、抵抗体３０ｂの端部からトリミングカーフを形成するので、抵抗体３０ｂの端部よりも抵抗体３０ａよりの位置からトリミングを開始することにより、抵抗体３０ｂの内部からトリミングカーフが形成されるのを防止でき、電極経路の幅が極端に小さい状態を防止することができる。つまり、仮に、トリミングカーフが抵抗体３０ｂの抵抗体３０ａ側の端部よりもやや内部の位置から形成されると、抵抗体３０ｂの左端に電流経路の幅が極端に狭い電流経路が形成されてしまうが、本実施例の場合には、トリミングのスタート位置や抵抗体の形成位置がＹ方向に多少ずれても、抵抗体３０ｂの端部からトリミングカーフを形成するので、そのようなおそれがない。
【００４８】
なお、上記実施例１においては、トリミングカーフ３２は抵抗体３０ｂの左側に形成されているが、右側に形成してもよい。
【００４９】
また、上記実施例１では、抵抗体が２つ設けられている例であるが、２つ以外の複数の抵抗体を形成してもよい。その場合も、複数の抵抗体を幅広の抵抗体と幅狭の抵抗体とし、幅広の抵抗体にトリミングを行い、各抵抗体の電流経路の最小幅を同一にするようにする。なお、抵抗体の幅を２種類ではなく３種類以上とし、トリミングカーフの長さを異ならせることにより、各抵抗体の電流経路の最小幅を同一にするようにしてもよい。さらには、抵抗体を複数の個別抵抗体を設けたり、抵抗体に１又は複数の開口部を設けることにより、複数の電流経路を設け、該複数の電流経路においてトリミングカーフが設けられていない状態の電流経路の幅である基本電流経路幅を比較した場合に、少なくとも１つの電流経路についての基本電流経路幅が他の少なくとも１つの電流経路の基本電流経路幅よりも大きく形成され、該トリミングカーフは、該基本電流経路幅が他の少なくとも１つの電流経路の基本電流経路幅よりも大きく形成された電流経路のうちの少なくとも一部に形成されているものであればよい。例えば、トリミングカーフが設けられていない状態の個別抵抗体の幅である基本抵抗体幅を比較した場合に、少なくとも１つの個別抵抗体の基本抵抗幅が他の少なくとも１つの個別抵抗体の基本抵抗体幅よりも大きく形成され、該トリミングカーフは、該基本抵抗体幅が他の少なくとも１つの個別抵抗体の基本抵抗体幅よりも大きく形成された個別抵抗体のうちの少なくとも一部に形成されているものとすればよい。
【実施例２】
【００５０】
以下に説明する実施例２は、３つの抵抗体を設けた例である。すなわち、実施例２におけるチップ抵抗器Ａ２においては、抵抗体１３０は、図５に示すように、抵抗体（個別抵抗体）１３０ａと、抵抗体（個別抵抗体）１３０ｂと、抵抗体（個別抵抗体）１３０ｃとから構成されていて、抵抗体１３０ａと抵抗体１３０ｂと抵抗体１３０ｃはともに絶縁基板１０の上面に層状に形成されており、抵抗体１３０ａ、１３０ｂ、１３０ｃの端部は上面電極２２ａ、２２ｂの上面に積層している。ここで、抵抗体１３０ａと抵抗体１３０ｃとは平面視において方形状を呈し、抵抗体１３０ｂは平面視において略方形状を呈している。つまり、抵抗体１３０ｂは、方形状の形状にトリミングカーフ１３２ａとトリミングカーフ１３２ｂを形成した形状を呈している点で略方形状であるといえる。つまり、抵抗体１３０ｂは、もともと方形状を呈するが、トリミングカーフ１３２ａとトリミングカーフ１３２ｂが形成されている。このトリミングカーフ１３２ａは、抵抗体１３０ｂにおける抵抗体１３０ａ側の端部（すなわち、辺部）からＹ方向に直線状に形成されていて、また、トリミングカーフ１３２ｂは、抵抗体１３０ｂにおける抵抗体１３０ｃ側の端部（すなわち、辺部）からＹ方向に直線状に形成されている。つまり、抵抗体１３０ｂには、両側の端部からトリミングカーフが形成されている。このトリミングカーフ１３２ａとトリミングカーフ１３２ｂは、抵抗体１３０ｂを含めて抵抗体１３０全体の抵抗値を所定の値に調整するために形成されたものであり、従来と同様に、レーザートリマを用いて形成されたものである。
【００５１】
ここで、抵抗体１３０ｂのＹ方向の幅α２（第１の幅）は、抵抗体１３０ａのＹ方向の幅α１（第２の幅）や抵抗体１３０ｃのＹ方向の幅α３（第２の幅）よりも大きく形成されている。また、抵抗体１３０ａの幅α１と抵抗体１３０ｃの幅α３とは、同一に形成されている。また、抵抗体１３０ｂにおけるトリミングカーフ１３２ａ、１３２ｂが設けられている部分以外のＹ方向の幅α４、つまり、トリミングカーフ１３２ａの先端とトリミングカーフ１３２ｂの先端の間のＹ方向の距離α４は、幅α１や幅α３と同一又は略同一となっている。つまり、抵抗体１３０ａの電極経路の最小幅と、抵抗体１３０ｂの電流経路の最小幅と、抵抗体１３０ｃの電流経路の最小幅は、同一又は略同一に形成されている。また、トリミングカーフ１３２ａのＹ方向の長さとトリミングカーフ１３２ｂのＹ方向の長さは同一又は略同一に形成されていて、抵抗体１３０ｂは、中心線を介して線対称となっている。
【００５２】
なお、抵抗体１３０ａ、１３０ｂ、１３０ｃのＸ方向の長さは略同一に形成されていて、以上の点からすると、抵抗体１３０は、Ｘ方向の中心線を介して線対称に形成されているといえる。
【００５３】
この実施例２において、上記幅α１や幅α２や幅α３は、上記「基本電流経路幅」や「基本抵抗体幅」に当たり、また、上記幅α１や幅α３や幅α４は、上記「電流経路の最小幅」に当たり、また、上記幅α１や幅α３は、「トリミングカーフが形成されていない電流経路の最小幅 」、「トリミングカーフが形成されていない個別抵抗体の電流経路の最小幅 」に当たり、また、上記幅α４は、「トリミングカーフが形成されている電流経路の最小幅」や「トリミングカーフが形成されている個別抵抗体の電流経路の最小幅」に当たる。
【００５４】
本実施例２において、抵抗体１３０以外の構成は上記実施例１と同様であるので、詳しい説明を省略する。つまり、このチップ抵抗器Ａ２においても、絶縁基板と、電極部と、保護膜とを有し、電極部は、上面電極と側面電極とメッキとを有している。なお、保護膜は、当然抵抗体１３０を被覆するように形成されている。
【００５５】
また、上記構成のチップ抵抗器Ａ２の製造方法は、上記実施例１と同様であるので、詳しい説明を省略するが、抵抗体１３０を形成するに当たっては、抵抗体１３０ａと、トリミングカーフ１３２ａ、１３２ｂが形成されていない抵抗体１３０ｂ（つまり、トリミングカーフ１３２ａ、１３２ｂが形成される前の状態の抵抗体１３０ｂ）と、抵抗体１３０ｃとを形成し（つまり、各抵抗体の抵抗体ペーストを印刷した後に、乾燥・焼成する）、その後、抵抗体１３０ｂのトリミングを行ってトリミングカーフ１３２ａ、１３２ｂを形成する。つまり、抵抗体１３０ｂの抵抗体１３０ａ側の端部からトリミングカーフを形成していき、上面電極２２ａと上面電極２２ｂ間の抵抗値が所定の値になるまでトリミングしていく。なお、トリミングカーフ１３２ａの長さについてのデータを得ておき、所定の長さになるまでトリミングカーフ１３２ａを形成するようにしてもよい。次に、抵抗体１３０ｂの抵抗体１３０ｃ側の端部からトリミングカーフを形成していき、上面電極２２ａと上面電極２２ｂ間の抵抗値が所定の値（第２の所定値）になるまでトリミングしていく。つまり、トリミングカーフ１３２ａを形成した後に、トリミングカーフ１３２ｂを形成する。なお、抵抗体１３０ｂにトリミングカーフを形成していって抵抗体１３０ｂのトリミングカーフが形成されていない領域の幅α４が抵抗体１３０ａの幅α１や抵抗体１３０ｃの幅α３と同一又はほぼ同一になった場合に、所定の抵抗値又は該抵抗値に近い抵抗値となるように、抵抗体１３０ａとトリミングカーフ形成前の抵抗体１３０ｂと抵抗体１３０ｃを形成しておく。つまり、抵抗体１３０ａのＹ方向の幅や抵抗体１３０ｂのＹ方向の幅や抵抗体１３０ｃのＹ方向の幅と、上面電極２２ａと上面電極２２ｂ間の抵抗値が所定の値となる場合のトリミングカーフ１３２ａ、１３２ｂのＹ方向の長さとの関係のデータを入手しておき、幅α１と幅α３と幅α４が同一又はほぼ同一となった場合に所定の抵抗値となるように、幅α１の長さと、幅α２の長さと、幅α３の長さと、各抵抗体のＸ方向の長さを設定しておく。また、トリミングカーフ１３２ａの長さとトリミングカーフ１３２ｂの長さも同一になるようにするので、両トリミングカーフの長さが同一になる場合のトリミングカーフ１３２ａを形成した場合の上面電極２２ａ、２２ｂ間の抵抗値のデータも得ておく。なお、両トリミングカーフの長さが同一になる場合のトリミングカーフ１３２ａの長さのデータも得ておくようにしてもよい。また、トリミングに当たっては、抵抗体１３０ｂの端部からやや離れた位置からトリミングを開始して、抵抗体１３０ｂの内部からトリミングカーフが形成されるのを防止するようにする。つまり、トリミングカーフ１３２ａについては、抵抗体１３０ｂの端部よりも抵抗体１３０ａよりの位置からトリミングを開始し、また、トリミングカーフ１３２ｂについては、抵抗体１３０ｂの端部よりも抵抗体１３０ｃよりの位置からトリミングを開始する。
【００５６】
上記構成のチップ抵抗器Ａ２の配線基板への実装は、上記実施例１と同様に行われるので、詳しい説明を省略する。
【００５７】
上記構成のチップ抵抗器Ａ２によれば、幅広の抵抗体１３０ｂと幅狭の抵抗体１３０ａ、１３０ｃとが設けられ、幅広の抵抗体１３０ｂのみにトリミングカーフが設けられるので、抵抗体１３０ａ、１３０ｂ、１３０ｃの全てにトリミングカーフを形成する場合に比べてトリミング作業の手間を小さくでき、チップ抵抗器製造に際しての作業性を向上させることができる。
【００５８】
また、抵抗体１３０ａの電流経路の最小幅（つまり、α１）と、抵抗体１３０ｂの電流経路の最小幅（つまり、α４）と、抵抗体１３０ｃの電流経路の最小幅（つまり、α３）とを同一又はほぼ同一にするので、電流経路の最小幅を均一にでき、よって、１つの抵抗体の電気的特性や耐久性が他に比べて低下することがない。また、特に、トリミングに際しては、抵抗体１３０ｂの端部からトリミングカーフを形成するので、抵抗体１３０ｂの内部からトリミングカーフが形成されるのを防止でき、電極経路の幅が極端に小さい状態を防止することができる。つまり、仮に、トリミングカーフが抵抗体１３０ｂの端部よりもやや内部の位置から形成されると、抵抗体１３０ｂの左端や右端に電流経路の幅が極端に狭い電流経路が形成されてしまうが、本実施例の場合には、トリミングのスタート位置や抵抗体の形成位置がＹ方向に多少ずれても、抵抗体１３０ｂの端部からトリミングカーフを形成するので、そのようなおそれがない。
【実施例３】
【００５９】
また、上記実施例２では、３つの抵抗体のうち真ん中の抵抗体を幅広とし、この抵抗体にトリミングカーフを設けるものとしたが、以下の実施例３に示すように、両側の２つの抵抗体を幅広としてこれらにトリミングカーフを設けるようにしてもよい。
【００６０】
すなわち、実施例３におけるチップ抵抗器Ａ３においては、抵抗体２３０は、図６に示すように、抵抗体（個別抵抗体）２３０ａと、抵抗体（個別抵抗体）２３０ｂと、抵抗体（個別抵抗体）２３０ｃとから構成されていて、抵抗体２３０ａと抵抗体２３０ｂと抵抗体２３０ｃはともに絶縁基板１０の上面に層状に形成されており、抵抗体２３０ａ、２３０ｂ、２３０ｃの端部は上面電極２２ａ、２２ｂの上面に積層している。ここで、抵抗体２３０ｂは平面視において方形状を呈し、抵抗体２３０ａと抵抗体２３０ｃは平面視において略方形状を呈している。つまり、抵抗体２３０ａは方形状の形状にトリミングカーフ２３２ａを形成した形状を呈し、また、抵抗体２３０ｃは方形状の形状にトリミングカーフ２３２ｂを形成した形状を呈している点で略方形状であるといえる。つまり、抵抗体２３０ａや抵抗体２３０ｃは、もともと方形状を呈するが、トリミングカーフが形成されている。トリミングカーフ２３２ａは、抵抗体２３０ａにおける抵抗体２３０ｂ側の端部（すなわち、辺部）からＹ方向に直線状に形成されていて、また、トリミングカーフ２３２ｂは、抵抗体２３０ｃにおける抵抗体２３０ｂ側の端部（すなわち、辺部）からＹ方向に直線状に形成されている。その意味で、抵抗体２３０ａと抵抗体２３０ｃとは線対称の形状を呈している。これらのトリミングカーフ２３２ａとトリミングカーフ２３２ｂは、抵抗体２３０ｂを含めて抵抗体２３０全体の抵抗値を所定の値に調整するために形成されたものであり、従来と同様に、レーザートリマを用いて形成されたものである。
【００６１】
ここで、抵抗体２３０ａのＹ方向の幅α１（第１の幅）や抵抗体２３０ｃのＹ方向の幅α３（第１の幅）は、抵抗体２３０ｂのＹ方向の幅α２（第２の幅）よりも大きく形成されている。また、抵抗体２３０ａの幅α１と抵抗体２３０ｃの幅α３とは、同一に形成されている。また、抵抗体２３０ａにおけるトリミングカーフ２３２ａが設けられている部分以外のＹ方向の幅α４、つまり、トリミングカーフ２３２ａの先端とトリミングカーフ２３２ａが設けられた辺部と相対する辺部までの距離α４は、幅α２と同一又は略同一となっている。また、同様に、抵抗体２３０ｃにおけるトリミングカーフ２３２ｂが設けられている部分以外のＹ方向の幅α５、つまり、トリミングカーフ２３２ｂの先端とトリミングカーフ２３２ｂが設けられた辺部と相対する辺部までの距離α５は、幅α２と同一又は略同一となっている。つまり、抵抗体２３０ａの電極経路の最小幅と、抵抗体２３０ｂの電流経路の最小幅と、抵抗体２３０ｃの電流経路の最小幅は、同一又は略同一に形成されている。また、トリミングカーフ２３２ａのＹ方向の長さとトリミングカーフ２３２ｂのＹ方向の長さは同一又は略同一に形成されている。なお、抵抗体２３０ａ、２３０ｂ、２３０ｃのＸ方向の長さは同一に形成されており、以上の点からすると、抵抗体２３０は、Ｘ方向の中心線を介して線対称に形成されているといえる。
【００６２】
この実施例３において、上記幅α１や幅α２や幅α３は、上記「基本電流経路幅」や「基本抵抗体幅」に当たり、また、上記幅α２や幅α４や幅α５は、上記「電流経路の最小幅」に当たり、また、上記幅α２は、「トリミングカーフが形成されていない電流経路の最小幅 」、「トリミングカーフが形成されていない個別抵抗体の電流経路の最小幅 」に当たり、また、上記幅α４や幅α５は、「トリミングカーフが形成されている電流経路の最小幅」や「トリミングカーフが形成されている個別抵抗体の電流経路の最小幅」に当たる。
【００６３】
本実施例３において、抵抗体２３０以外の構成は上記実施例１や実施例２と同様であるので、詳しい説明を省略する。つまり、このチップ抵抗器Ａ３においても、絶縁基板と、電極部と、保護膜とを有し、電極部は、上面電極と側面電極とメッキとを有している。なお、保護膜は、当然抵抗体２３０を被覆するように形成されている。
【００６４】
また、上記構成のチップ抵抗器Ａ３の製造方法は、上記実施例１や実施例２と同様であるので、詳しい説明を省略するが、抵抗体２３０を形成するに当たっては、トリミングカーフ２３２ａが形成されていない抵抗体２３０ａ（つまり、トリミングカーフ２３２ａが形成される前の状態の抵抗体２３０ａ）と、抵抗体２３０ｂと、トリミングカーフ２３２ｂが形成されていない抵抗体２３０ｃ（つまり、トリミングカーフ２３２ｂが形成される前の状態の抵抗体２３０ｃ）とを形成し（つまり、各抵抗体の抵抗体ペーストを印刷した後に、乾燥・焼成する）、その後、抵抗体２３０ａのトリミングと抵抗体２３０ｃのトリミングを行う。なお、２つのトリミングカーフのうちいずれか一方のトリミングカーフから形成していく。例えば、トリミングカーフ２３２ａをまず形成し、その後、トリミングカーフ２３２ｂを形成する。つまり、抵抗体２３０ａの抵抗体２３０ｂ側の端部からトリミングカーフを形成していき、上面電極２２ａと上面電極２２ｂ間の抵抗値が所定の値になるまでトリミングしていく。なお、トリミングカーフ２３２ａの長さについてのデータを得ておき、所定の長さになるまでトリミングカーフ２３２ａを形成するようにしてもよい。次に、抵抗体２３０ｃの抵抗体２３０ｂ側の端部からトリミングカーフを形成していき、上面電極２２ａと上面電極２２ｂ間の抵抗値が所定の値（第２の所定値）になるまでトリミングしていく。なお、抵抗体２３０ａや抵抗体２３０ｃにトリミングカーフを形成していって、抵抗体２３０ａのトリミングカーフが形成されていない領域の幅α４や抵抗体２３０ｃのトリミングカーフが形成されていない領域の幅α５が、抵抗体２３０ｂの幅α２と同一又はほぼ同一になった場合に、所定の抵抗値又は該抵抗値に近い抵抗値となるように、トリミングカーフ形成前の抵抗体２３０ａと抵抗体２３０ｂとトリミングカーフ形成前の抵抗体２３０ｃを形成しておく。つまり、抵抗体２３０ａのＹ方向の幅や抵抗体２３０ｂのＹ方向の幅や抵抗体２３０ｃのＹ方向の幅と、上面電極２２ａと上面電極２２ｂ間の抵抗値が所定の値となる場合のトリミングカーフ２３２ａ、２３２ｂのＹ方向の長さとの関係のデータを入手しておき、幅α２と幅α４と幅α５が同一又はほぼ同一となった場合に所定の抵抗値となるように、幅α１の長さと、幅α２の長さと、幅α３の長さと、各抵抗体のＸ方向の長さを設定しておく。また、トリミングカーフ２３２ａの長さとトリミングカーフ２３２ｂの長さも同一になるようにするので、両トリミングカーフの長さが同一になる場合のトリミングカーフ２３２ａを形成した場合の上面電極２２ａ、２２ｂ間の抵抗値のデータも得ておく。なお、両トリミングカーフの長さが同一になる場合のトリミングカーフ２３２ａの長さのデータも得ておくようにしてもよい。また、トリミングに当たっては、抵抗体２３０ａや抵抗体２３０ｃの端部からやや離れた位置からトリミングを開始して、抵抗体２３０ａ、２３０ｃの内部からトリミングカーフが形成されるのを防止するようにする。つまり、トリミングカーフ２３２ａについては、抵抗体２３０ａの端部よりも抵抗体２３０ｂよりの位置からトリミングを開始し、また、トリミングカーフ２３２ｂについては、抵抗体２３０ｃの端部よりも抵抗体２３０ｂよりの位置からトリミングを開始する。
【００６５】
上記構成のチップ抵抗器Ａ３の配線基板への実装は、上記実施例１や実施例２と同様に行われるので、詳しい説明を省略する。
【００６６】
上記構成のチップ抵抗器Ａ３によれば、幅広の抵抗体２３０ａ、２３０ｃと幅狭の抵抗体２３０ｂとが設けられ、幅広の抵抗体２３０ａ、２３０ｃのみにトリミングカーフが設けられるので、抵抗体２３０ａ、２３０ｂ、２３０ｃの全てにトリミングカーフを形成する場合に比べてトリミング作業の手間を小さくでき、チップ抵抗器製造に際しての作業性を向上させることができる。
【００６７】
また、抵抗体２３０ａの電流経路の最小幅（つまり、α４）と、抵抗体２３０ｂの電流経路の最小幅（つまり、α２）と、抵抗体２３０ｃの電流経路の最小幅（つまり、α５）とを同一又はほぼ同一にするので、電流経路の最小幅を均一にでき、よって、１つの抵抗体の電気的特性や耐久性が他に比べて低下することがない。また、特に、トリミングに際しては、抵抗体２３０ａや抵抗体２３０ｃの端部からトリミングカーフを形成するので、抵抗体２３０ａ、２３０ｃの内部からトリミングカーフが形成されるのを防止でき、電極経路の幅が極端に小さい状態を防止することができる。つまり、仮に、トリミングカーフが抵抗体２３０ａや抵抗体２３０ｃの端部よりもやや内部の位置から形成されると、抵抗体２３０ａの右端や２３０ｃの左端に電流経路の幅が極端に狭い電流経路が形成されてしまうが、本実施例の場合には、トリミングのスタート位置や抵抗体の形成位置が多少Ｙ方向にずれても、抵抗体２３０ａや抵抗体２３０ｃの端部からトリミングカーフを形成するので、そのようなおそれがない。
【実施例４】
【００６８】
また、上記実施例２においては、抵抗体１３０ｂの両側からトリミングカーフを形成するものとしたが、以下に説明する実施例４に示すように幅広の抵抗体における一方の端部からのみトリミングを行うようにしてもよい。
【００６９】
すなわち、実施例４におけるチップ抵抗器Ａ４においては、抵抗体３３０は、図７に示すように、抵抗体（個別抵抗体）３３０ａと、抵抗体（個別抵抗体）３３０ｂと、抵抗体（個別抵抗体）３３０ｃとから構成されていて、抵抗体３３０ａ、３３０ｂ、３３０ｃはともに絶縁基板１０の上面に層状に形成されており、抵抗体３３０ａ、３３０ｂ、３３０ｃの端部は上面電極２２ａ、２２ｂの上面に積層している。ここで、抵抗体３３０ａと抵抗体３３０ｃとは平面視において方形状を呈し、抵抗体３３０ｂは平面視において略方形状を呈している。つまり、抵抗体３３０ｂは、方形状の形状にトリミングカーフ３３２を形成した形状を呈している点で略方形状であるといえる。つまり、抵抗体３３０ｂは、もともと方形状を呈するが、トリミングカーフ３３２が形成されている。このトリミングカーフ３３２は、抵抗体３３０ｂにおける抵抗体３３０ｃ側の端部（すなわち、辺部）からＹ方向に直線状に形成されている。なお、抵抗体３３０ｂにおける抵抗体３３０ａ側の端部から形成してもよい。つまり、抵抗体３３０ｂには、一方の端部からトリミングカーフが形成されている。このトリミングカーフ３３２は、抵抗体３３０ｂを含めて抵抗体３３０全体の抵抗値を所定の値に調整するために形成されたものであり、従来と同様に、レーザートリマを用いて形成されたものである。
【００７０】
ここで、抵抗体３３０ｂのＹ方向の幅α２（第１の幅）は、抵抗体３３０ａのＹ方向の幅α１（第２の幅）や抵抗体３３０ｃのＹ方向の幅α３（第２の幅）よりも大きく形成されている。また、抵抗体３３０ａの幅α１と抵抗体３３０ｃの幅α３とは、同一に形成されている。また、抵抗体３３０ｂにおけるトリミングカーフ３３２が設けられている部分以外のＹ方向の幅α４、つまり、トリミングカーフ３３２の先端とトリミングカーフ３３２が設けられた辺部と相対する辺部までの距離α４は、幅α１や幅α３と同一又は略同一となっている。つまり、抵抗体３３０ａの電極経路の最小幅と、抵抗体３３０ｂの電流経路の最小幅と、抵抗体３３０ｃの電流経路の最小幅は、同一又は略同一に形成されている。
【００７１】
この実施例４において、上記幅α１や幅α２や幅α３は、上記「基本電流経路幅」や「基本抵抗体幅」に当たり、また、上記幅α１や幅α３や幅α４は、上記「電流経路の最小幅」に当たり、また、上記幅α１や幅α３は、「トリミングカーフが形成されていない電流経路の最小幅 」、「トリミングカーフが形成されていない個別抵抗体の電流経路の最小幅 」に当たり、また、上記幅α４は、「トリミングカーフが形成されている電流経路の最小幅」や「トリミングカーフが形成されている個別抵抗体の電流経路の最小幅」に当たる。
【００７２】
本実施例４において、抵抗体３３０以外の構成は上記実施例２と同様であるので、詳しい説明を省略する。つまり、このチップ抵抗器Ａ４においても、絶縁基板と、電極部と、保護膜とを有し、電極部は、上面電極と側面電極とメッキとを有している。なお、保護膜は、当然抵抗体３３０を被覆するように形成されている。
【００７３】
また、上記構成のチップ抵抗器Ａ４の製造方法は、上記実施例２と同様であるので、詳しい説明を省略するが、抵抗体３３０を形成するに当たっては、抵抗体３３０ａと、トリミングカーフ３３２が形成される前の状態の抵抗体３３０ｂと、抵抗体３３０ｃとを形成し（つまり、各抵抗体の抵抗体ペーストを印刷した後に、乾燥・焼成する）、その後、抵抗体３３０ｂのトリミングを行ってトリミングカーフ３３２を形成する。つまり、抵抗体３３０ｂの抵抗体３３０ｃ側の端部からトリミングカーフを形成していき、上面電極２２ａと上面電極２２ｂ間の抵抗値が所定の値になるまでトリミングしていく。なお、抵抗体３３０ｂにトリミングカーフを形成していって抵抗体３３０ｂのトリミングカーフが形成されていない領域の幅α４が幅α１や幅α３と同一又はほぼ同一になった場合に、所定の抵抗値又は該抵抗値に近い抵抗値となるように、抵抗体３３０ａとトリミングカーフ形成前の抵抗体３３０ｂと抵抗体３３０ｃを形成しておく。つまり、抵抗体３３０ａのＹ方向の幅や抵抗体３３０ｂのＹ方向の幅と、上面電極２２ａと上面電極２２ｂ間の抵抗値が所定の値となる場合のトリミングカーフのＹ方向の長さとの関係のデータを入手しておき、幅α１と幅α３と幅α４とが同一又はほぼ同一となった場合に所定の抵抗値となるように、幅α１の長さと、幅α２の長さと、幅α３の長さと、各抵抗体のＸ方向の長さを設定しておく。また、トリミングに当たっては、抵抗体３３０ｂの端部よりも抵抗体３３０ｃよりの位置からトリミングを開始して、抵抗体３３０ｂの内部からトリミングカーフが形成されるのを防止するようにする。
【００７４】
上記構成のチップ抵抗器Ａ４の配線基板への実装は、上記実施例１〜実施例３と同様に行われるので、詳しい説明を省略する。
【００７５】
上記構成のチップ抵抗器Ａ４によれば、幅広の抵抗体３３０ｂと幅狭の抵抗体３３０ａ、３３０ｃとが設けられ、幅広の抵抗体３３０ｂのみにトリミングカーフが設けられるので、抵抗体３３０ａ、３３０ｂ、３３０ｃの全てにトリミングカーフを形成する場合に比べてトリミング作業の手間を小さくでき、チップ抵抗器製造に際しての作業性を向上させることができる。
【００７６】
また、抵抗体３３０ａの電流経路の最小幅（つまり、α１）と、抵抗体３３０ｂの電流経路の最小幅（つまり、α４）と、抵抗体３３０ｃの電流経路の最小幅（つまり、α３）とを同一又はほぼ同一にするので、電流経路の最小幅を均一にでき、よって、１つの抵抗体の電気的特性や耐久性が他に比べて低下することがない。また、特に、トリミングに際しては、抵抗体３３０ｂの端部からトリミングカーフを形成するので、抵抗体３３０ｂの内部からトリミングカーフが形成されるのを防止でき、電極経路の幅が極端に小さい状態を防止することができる。つまり、トリミングカーフが抵抗体３３０ｂの端部よりもやや内部の位置から形成されると、抵抗体３３０ｂの右端に電流経路の幅が極端に狭い電流経路が形成されてしまうが、本実施例の場合には、トリミングのスタート位置や抵抗体の形成位置が多少Ｙ方向にずれても、抵抗体３３０ｂの端部からトリミングカーフを形成するので、そのようなおそれがない。
本実施例の場合にはそのようなおそれがない。
【実施例５】
【００７７】
また、上記実施例３では、左右に位置する抵抗体を線対称の形状になるように形成したが、これには限られない。例えば、図８に示すチップ抵抗器Ａ５に示すように構成してもよい。
【００７８】
すなわち、実施例５におけるチップ抵抗器Ａ５においては、抵抗体４３０は、図８に示すように、抵抗体（個別抵抗体）４３０ａと、抵抗体（個別抵抗体）４３０ｂと、抵抗体（個別抵抗体）４３０ｃとから構成されていて、抵抗体４３０ａにはトリミングカーフ４３２ａが形成され、抵抗体４３０ｃにはトリミングカーフ４３２ｂが形成されている。つまり、トリミングカーフ４３２ａは、抵抗体４３０ａにおける右側の端部、すなわち、抵抗体４３０ｂ側の端部（すなわち、辺部）からＹ方向に直線状に形成されていて、また、トリミングカーフ４３２ｂは、抵抗体４３０ｃにおける右側の端部からＹ方向に直線状に形成されている。その意味で、抵抗体４３０ａと抵抗体４３０ｃとは線対称の形状を呈していない。
【００７９】
ここで、抵抗体４３０ａのＹ方向の幅α１（第１の幅）や抵抗体４３０ｃのＹ方向の幅α３（第１の幅）は、抵抗体４３０ｂのＹ方向の幅α２（第２の幅）よりも大きく形成されている。また、抵抗体４３０ａの幅α１と抵抗体４３０ｃの幅α３とは、同一に形成されている。また、抵抗体４３０ａにおけるトリミングカーフ４３２ａが設けられている部分以外のＹ方向の幅α４は、幅α２と同一又は略同一となっている。また、同様に、抵抗体４３０ｃにおけるトリミングカーフ４３２ｂが設けられている部分以外のＹ方向の幅α５は、幅α２と同一又は略同一となっている。また、トリミングカーフ４３２ａとトリミングカーフ４３２ｂのＹ方向の長さも同一又は略同一となっている。つまり、抵抗体４３０ａの電極経路の最小幅と、抵抗体４３０ｂの電流経路の最小幅と、抵抗体４３０ｃの電流経路の最小幅は、同一又は略同一に形成されている。また、抵抗体４３０ａと抵抗体４３０ｃとは、同一形状・大きさを呈しているといえる。
【００８０】
この実施例５において、上記幅α１や幅α２や幅α３は、上記「基本電流経路幅」に当たり、また、上記幅α２や幅α４や幅α５は、上記「電流経路の最小幅」に当たり、また、上記幅α２は、「トリミングカーフが形成されていない電流経路の最小幅 」、「トリミングカーフが形成されていない個別抵抗体の電流経路の最小幅 」に当たり、また、上記幅α４や幅α５は、「トリミングカーフが形成されている電流経路の最小幅」や「トリミングカーフが形成されている個別抵抗体の電流経路の最小幅」に当たる。
【００８１】
本実施例５において、抵抗体４３０以外の構成は上記実施例３と同様であるので、詳しい説明を省略する。つまり、このチップ抵抗器Ａ５においても、絶縁基板と、電極部と、保護膜とを有し、電極部は、上面電極と側面電極とメッキとを有している。
【００８２】
また、上記構成のチップ抵抗器Ａ５の製造方法は、上記実施例１や実施例２と同様であるので、詳しい説明を省略するが、抵抗体４３０を形成するに当たっては、トリミングカーフ４３２ａが形成されていない抵抗体４３０ａ（つまり、トリミングカーフ４３２ａが形成される前の状態の抵抗体４３０ａ）と、抵抗体４３０ｂと、トリミングカーフ４３２ｂが形成されていない抵抗体４３０ｃ（つまり、トリミングカーフ４３２ｂが形成される前の状態の抵抗体４３０ｃ）とを形成し（つまり、各抵抗体の抵抗体ペーストを印刷した後に、乾燥・焼成する）、その後、抵抗体４３０ａのトリミングと抵抗体４３０ｃのトリミングを行う。なお、２つのトリミングカーフのうちいずれか一方のトリミングカーフから形成していく。例えば、トリミングカーフ４３２ａをまず形成し、その後、トリミングカーフ４３２ｂを形成する。つまり、抵抗体４３０ａの右側、つまり、抵抗体４３０ｂ側の端部からトリミングカーフを形成していき、上面電極２２ａと上面電極２２ｂ間の抵抗値が所定の値になるまでトリミングしていく。なお、トリミングカーフ４３２ａの長さについてのデータを得ておき、所定の長さになるまでトリミングカーフ４３２ａを形成するようにしてもよい。次に、抵抗体４３０ｃの右側の端部からトリミングカーフを形成していき、上面電極２２ａと上面電極２２ｂ間の抵抗値が所定の値（第２の所定値）になるまでトリミングしていく。なお、抵抗体４３０ａや抵抗体４３０ｃにトリミングカーフを形成していって、抵抗体４３０ａのトリミングカーフが形成されていない領域の幅α４や抵抗体４３０ｃのトリミングカーフが形成されていない領域の幅α５が、抵抗体４３０ｂの幅α２と同一又はほぼ同一になった場合に、所定の抵抗値又は該抵抗値に近い抵抗値となるように、トリミングカーフ形成前の抵抗体４３０ａと抵抗体４３０ｂとトリミングカーフ形成前の抵抗体４３０ｃを形成しておく。つまり、抵抗体４３０ａのＹ方向の幅や抵抗体４３０ｂのＹ方向の幅や抵抗体４３０ｃのＹ方向の幅と、上面電極２２ａと上面電極２２ｂ間の抵抗値が所定の値となる場合のトリミングカーフ４３２ａ、４３２ｂのＹ方向の長さとの関係のデータを入手しておき、幅α２と幅α４と幅α５が同一又はほぼ同一となった場合に所定の抵抗値となるように、幅α１の長さと、幅α２の長さと、幅α３の長さと、各抵抗体のＸ方向の長さを設定しておく。また、トリミングに当たっては、抵抗体４３０ａや抵抗体４３０ｃの端部からやや離れた位置からトリミングを開始して、抵抗体４３０ａ、４３０ｃの内部からトリミングカーフが形成されるのを防止するようにする。上記構成のチップ抵抗器Ａ５の配線基板への実装は、上記実施例１〜実施例４と同様に行われるので、詳しい説明を省略する。また、チップ抵抗器Ａ５による効果も上記実施例３のチップ抵抗器Ａ３と同様であるので、詳しい説明を省略する。
【実施例６】
【００８３】
また、上記実施例２〜実施例５においては、３つの抵抗体が設けられているものとして説明したが、４つの抵抗体としてもよい。
【００８４】
すなわち、実施例６におけるチップ抵抗器Ａ６においては、抵抗体５３０は、図９に示すように、抵抗体（個別抵抗体）５３０ａと、抵抗体（個別抵抗体）５３０ｂと、抵抗体（個別抵抗体）５３０ｃと、抵抗体（個別抵抗体）５３０ｄとから構成されていて、抵抗体５３０ａ、５３０ｂ、５３０ｃ、５３０ｄはともに絶縁基板１０の上面に層状に形成されており、抵抗体５３０ａ、５３０ｂ、５３０ｃ、５３０ｄの端部は上面電極２２ａ、２２ｂの上面に積層している。ここで、抵抗体５３０ａと抵抗体５３０ｄとは平面視において方形状を呈し、抵抗体５３０ｂと抵抗体５３０ｃとは平面視において略方形状を呈している。つまり、抵抗体５３０ｂは、方形状の形状にトリミングカーフ５３２ａを形成した形状を呈している点で略方形状であるといえ、また、抵抗体５３０ｃは、方形状の形状にトリミングカーフ５３２ｂを形成した形状を呈している点で略方形状であるといえる。つまり、抵抗体５３０ｂは、もともと方形状を呈するが、トリミングカーフ５３２ａが形成されている。このトリミングカーフ５３２ａは、抵抗体５３０ｂにおける抵抗体５３０ａ側の端部（すなわち、辺部）からＹ方向に直線状に形成されている。また、抵抗体５３０ｃも、もともと方形状を呈するが、トリミングカーフ５３２ｂが形成されている。このトリミングカーフ５３２ｂは、抵抗体５３０ｃにおける抵抗体５３０ｄ側の端部（すなわち、辺部）からＹ方向に直線状に形成されている。つまり、抵抗体５３０ｂや抵抗体５３０ｃには、一方の端部からトリミングカーフが形成されている。このトリミングカーフ５３２ａ、５３２ｂは、抵抗体５３０ｂ、５３０ｃを含めて抵抗体５３０全体の抵抗値を所定の値に調整するために形成されたものであり、従来と同様に、レーザートリマを用いて形成されたものである。
【００８５】
ここで、抵抗体５３０ｂのＹ方向の幅α２（第１の幅）や抵抗体５３０ｃのＹ方向の幅α３（第１の幅）は、抵抗体５３０ａのＹ方向の幅α１（第２の幅）や抵抗体５３０ｄのＹ方向の幅α４（第２の幅）よりも大きく形成されている。また、抵抗体５３０ａの幅α１と抵抗体５３０ｄの幅α４とは、同一に形成されている。また、抵抗体５３０ｂの幅α２と抵抗体５３０ｃの幅α３とは、同一に形成されている。また、抵抗体５３０ｂにおけるトリミングカーフ５３２ａが設けられている部分以外のＹ方向の幅α５、つまり、トリミングカーフ５３２ａの先端とトリミングカーフ５３２ａが設けられた辺部と相対する辺部までの距離α５は、幅α１や幅α４と同一又は略同一となっている。また、抵抗体５３０ｃにおけるトリミングカーフ５３２ｂが設けられている部分以外のＹ方向の幅α６、つまり、トリミングカーフ５３２ｂの先端とトリミングカーフ５３２ｂが設けられた辺部と相対する辺部までの距離α６は、幅α１や幅α４と同一又は略同一となっている。つまり、抵抗体５３０ａの電極経路の最小幅と、抵抗体５３０ｂの電流経路の最小幅と、抵抗体５３０ｃの電流経路の最小幅と、抵抗体５３０ｄの電流経路の最小幅は、同一又は略同一に形成されている。また、トリミングカーフ５３２ａのＹ方向の長さとトリミングカーフ５３２ｂのＹ方向の長さは同一又は略同一に形成されている。なお、抵抗体５３０ａ、５３０ｂ、５３０ｃ、５３０ｄのＸ方向の長さは同一に形成されており、以上の点からすると、抵抗体５３０は、Ｘ方向の中心線を介して線対称に形成されているといえる。
【００８６】
この実施例６において、上記幅α１や幅α２や幅α３や幅α４は、上記「基本電流経路幅」や「基本抵抗体幅」に当たり、また、上記幅α１や幅α４や幅α５や幅α６は、上記「電流経路の最小幅」に当たり、また、上記幅α１や幅α４は、「トリミングカーフが形成されていない電流経路の最小幅 」、「トリミングカーフが形成されていない個別抵抗体の電流経路の最小幅 」に当たり、また、上記幅α５や幅α６は、「トリミングカーフが形成されている電流経路の最小幅」や「トリミングカーフが形成されている個別抵抗体の電流経路の最小幅」に当たる。
【００８７】
本実施例６において、抵抗体５３０以外の構成は上記実施例１〜実施例５と同様であるので、詳しい説明を省略する。つまり、このチップ抵抗器Ａ６においても、絶縁基板と、電極部と、保護膜とを有し、電極部は、上面電極と側面電極とメッキとを有している。なお、保護膜は、当然抵抗体５３０を被覆するように形成されている。
【００８８】
また、上記構成のチップ抵抗器Ａ６の製造方法は、上記各実施例と同様であるので、詳しい説明を省略するが、抵抗体５３０を形成するに当たっては、抵抗体５３０ａと、トリミングカーフ５３２ａが形成されていない抵抗体５３０ｂ（つまり、トリミングカーフ５３２ａが形成される前の状態の抵抗体５３０ｂ）と、トリミングカーフ５３２ｂが形成されていない抵抗体５３０ｃ（つまり、トリミングカーフ５３２ｂが形成される前の状態の抵抗体５３０ｃ）と、抵抗体５３０ｄとを形成し（つまり、各抵抗体の抵抗体ペーストを印刷した後に、乾燥・焼成する）、その後、抵抗体５３０ｂと抵抗体５３０ｃのトリミングを行う。つまり、抵抗体５３０ｂの抵抗体５３０ａ側の端部からトリミングカーフを形成していき、上面電極２２ａと上面電極２２ｂ間の抵抗値が所定の値になるまでトリミングしていく。なお、トリミングカーフ５３２ａの長さについてのデータを得ておき、所定の長さになるまでトリミングカーフ５３２ａを形成するようにしてもよい。次に、抵抗体５３０ｃの抵抗体５３０ｄ側の端部からトリミングカーフを形成していき、上面電極２２ａと上面電極２２ｂ間の抵抗値が所定の値（第２の所定値）になるまでトリミングしていく。つまり、トリミングカーフ５３２ａを形成した後に、トリミングカーフ５３２ｂを形成する。なお、抵抗体５３０ｂや抵抗体５３０ｃにトリミングカーフを形成していって、抵抗体５３０ｂのトリミングカーフが形成されていない領域の幅α５や抵抗体５３０ｃのトリミングカーフが形成されていない領域の幅α６が抵抗体５３０ａの幅α１や抵抗体５３０ｄの幅α４と同一又はほぼ同一になった場合に、所定の抵抗値又は該抵抗値に近い抵抗値となるように、抵抗体５３０ａとトリミングカーフ形成前の抵抗体５３０ｂとトリミングカーフ形成前の抵抗体５３０ｃと抵抗体５３０ｄを形成しておく。つまり、抵抗体５３０ａのＹ方向の幅や抵抗体５３０ｂのＹ方向の幅や抵抗体５３０ｃのＹ方向の幅や抵抗体５３０ｄのＹ方向の幅と、上面電極２２ａと上面電極２２ｂ間の抵抗値が所定の値となる場合のトリミングカーフ５３２ａ、５３２ｂのＹ方向の長さとの関係のデータを入手しておき、幅α１と幅α４と幅α５と幅α６が同一又はほぼ同一となった場合に所定の抵抗値となるように、幅α１の長さと、幅α２の長さと、幅α３の長さと、幅α４の長さと、各抵抗体のＸ方向の長さを設定しておく。また、トリミングカーフ５３２ａの長さとトリミングカーフ５３２ｂの長さも同一になるようにするので、両トリミングカーフの長さが同一になる場合のトリミングカーフ５３２ａを形成した場合の上面電極２２ａ、２２ｂ間の抵抗値のデータも得ておく。なお、両トリミングカーフの長さが同一になる場合のトリミングカーフ５３２ａの長さのデータも得ておくようにしてもよい。また、トリミングに当たっては、抵抗体５３０ｂの端部からやや離れた位置からトリミングを開始して、抵抗体５３０ｂの内部からトリミングカーフが形成されるのを防止するようにする。つまり、トリミングカーフ５３２ａについては、抵抗体５３０ｂの端部よりも抵抗体５３０ａよりの位置からトリミングを開始し、また、トリミングカーフ５３２ｂについては、抵抗体５３０ｃの端部よりも抵抗体５３０ｄよりの位置からトリミングを開始する。
【００８９】
上記構成のチップ抵抗器Ａ６の配線基板への実装は、上記実施例１〜実施例５と同様に行われるので、詳しい説明を省略する。
【００９０】
上記構成のチップ抵抗器Ａ６によれば、幅広の抵抗体５３０ｂ、５３０ｃと幅狭の抵抗体５３０ａ、５３０ｄとが設けられ、幅広の抵抗体５３０ｂ、５３０ｃのみにトリミングカーフが設けられるので、抵抗体５３０ａ、５３０ｂ、５３０ｃ、５３０ｄの全てにトリミングカーフを形成する場合に比べてトリミング作業の手間を小さくでき、チップ抵抗器製造に際しての作業性を向上させることができる。
【００９１】
また、抵抗体５３０ａの電流経路の最小幅（つまり、α１）と、抵抗体５３０ｂの電流経路の最小幅（つまり、α５）と、抵抗体５３０ｃの電流経路の最小幅（つまり、α６）と、抵抗体５３０ｄの電流経路の最小幅（つまり、α４）を同一又はほぼ同一にするので、電流経路の最小幅を均一にでき、よって、１つの抵抗体の電気的特性や耐久性が他に比べて低下することがない。また、特に、トリミングに際しては、抵抗体５３０ｂ、５３０ｃの端部からスタートするので、抵抗体５３０ｂ、５３０ｃの内部からトリミングカーフが形成されるのを防止でき、電極経路の幅が極端に小さい状態を防止することができる。
【実施例７】
【００９２】
また、上記実施例１〜実施例６は、複数の抵抗体を設けることにより複数の電流経路を設けたのであるが、以下に説明するように、抵抗体の平面視における内部に１又は複数の無抵抗部を設けて複数の電流経路を設けるようにしてもよい。そして、該１又は複数の無抵抗部により幅広の電流経路と幅狭の電流経路を設け、該幅広の電流経路にトリミングカーフを形成する。
【００９３】
すなわち、以下に説明する実施例７は、抵抗体に１つの無抵抗部を設けて２つの電流経路を形成したものであり、図１０に示すように、実施例７におけるチップ抵抗器Ａ７においては、抵抗体６３０は方形状（具体的には、長方形状）に形成されていて、内部に無抵抗部６３１が設けられている。この無抵抗部６３１とは、抵抗体６３０に形成された開口部であり、この無抵抗部６３１が設けられていることにより２つの電流経路が形成されている。この抵抗体６３０は、絶縁基板１０の上面に層状に形成されており、抵抗体６３０の端部は上面電極２２ａ、２２ｂの上面に積層している。また、抵抗体６３０の平面視における内部には、該無抵抗部６３１からＹ方向に直線状に伸びたトリミングカーフ６３２が設けられている。このトリミングカーフ６３２は、抵抗体６３０全体の抵抗値を所定の値に調整するために形成されたものであり、従来と同様に、レーザートリマを用いて形成されたものである。
【００９４】
ここで、無抵抗部６３１のＹ方向における形成位置は抵抗体６３０の中央よりも左側にずれた位置であり、抵抗体６３０の左端から無抵抗部６３１までの距離はα１（第２の幅）であり、抵抗体６３０の右端から無抵抗部６３１までの距離はα２（第１の幅）となっていて、距離α２は距離α１よりも大きく形成されている。これにより、トリミングカーフが設けられていない状態では、右側の電流経路の方が左側の電流経路よりも幅広に形成されている。
【００９５】
また、トリミングカーフ６３２の先端から抵抗体６３０の右端までの距離α３は、距離α１と同一又は略同一となっている。これにより、抵抗体６３０における左側の電流経路の最小幅と右側の電流経路の最小幅は、同一又は略同一に形成されている。また、無抵抗部６３１は、Ｘ方向には抵抗体６３０の中央位置に設けられている。なお、この実施例７は上記実施例１に対応し、実施例１においても、トリミング前の状態では幅広の電流経路と幅狭の電流経路とが設けられ、幅広の電流経路にトリミングを行って各電流経路の最小幅を均一にしているが、この実施例７は、これを１つの抵抗体によって実現しているものといえる。
【００９６】
この実施例７において、上記幅α１や幅α２は、上記「基本電流経路幅」に当たり、また、上記幅α１や幅α３は、上記「電流経路の最小幅」に当たり、また、上記幅α１は、「トリミングカーフが形成されていない電流経路の最小幅 」に当たり、また、上記幅α３は、「トリミングカーフが形成されている電流経路の最小幅」に当たる。
【００９７】
また、上記構成のチップ抵抗器Ａ７の製造方法は、上記各実施例と同様であるので、詳しい説明を省略するが、抵抗体６３０を形成するに当たっては、トリミングカーフ６３２が形成されていない抵抗体６３０を形成し（つまり、開口部としての無抵抗部６３１が形成された形状の抵抗体ペーストを印刷した後に、乾燥・焼成する）、その後、抵抗体６３０のトリミングを行ってトリミングカーフ６３２を形成する。つまり、抵抗体６３０の無抵抗部６３１の右端位置からトリミングカーフを形成していき、上面電極２２ａと上面電極２２ｂ間の抵抗値が所定の値になるまでトリミングしていく。なお、抵抗体６３０にトリミングカーフを形成していってトリミングカーフ６３２の先端から抵抗体６３０の右端までの距離α３が距離α１と同一又はほぼ同一になった場合に、所定の抵抗値又は該抵抗値に近い抵抗値となるように、トリミングカーフ形成前の抵抗体６３０を形成しておく。つまり、抵抗体６３０のＹ方向とＸ方向の幅や、無抵抗部６３１の形成位置と大きさと、上面電極２２ａと上面電極２２ｂ間の抵抗値が所定の値となる場合のトリミングカーフのＹ方向の長さとの関係のデータを入手しておき、距離α１と距離α３とが同一又はほぼ同一となった場合に所定の抵抗値となるように、抵抗体６３０の外形の大きさと、距離α１の長さと、距離α２の長さと、無抵抗部６３１の大きさと形成位置を設定しておく。また、トリミングに当たっては、無抵抗部６３１の右端よりも左よりの位置からトリミングを開始して、抵抗体６３０の内部からトリミングカーフが形成されるのを防止するようにする。
【００９８】
上記構成のチップ抵抗器Ａ７の配線基板への実装は、上記各実施例と同様に行われるので、詳しい説明を省略する。
【００９９】
上記構成のチップ抵抗器Ａ７によれば、トリミング前の状態では１つの抵抗体に無抵抗部を設けることにより幅広の電流経路と幅狭の電流経路とが設けられ、幅広の電流経路の側にトリミングカーフが設けられるので、各電流経路の全てにトリミングカーフを形成する場合に比べてトリミング作業の手間を小さくでき、チップ抵抗器製造に際しての作業性を向上させることができる。
【０１００】
また、抵抗体６３０の左側の電流経路の最小幅（つまり、α１）と、抵抗体６３０の右側の電流経路最小幅（つまり、α３）とを同一又はほぼ同一にするので、電流経路の最小幅を均一にでき、よって、１つの電流経路の領域の電気的特性や耐久性が他に比べて低下することがない。また、特に、トリミングに際しては、無抵抗部６３１の位置からスタートするので、抵抗体６３０の内部からトリミングカーフが形成されるのを防止でき、電極経路の幅が極端に小さい状態を防止することができる。つまり、本実施例の場合には、トリミングのスタート位置や抵抗体の形成位置が多少ずれても、無抵抗部６３１からトリミングカーフを形成するので、そのようなおそれがない。
【実施例８】
【０１０１】
また、次に説明する実施例８は、抵抗体に２つの無抵抗部を設けて３つの電流経路を形成したものの例である。
【０１０２】
すなわち、図１１に示すように、実施例８におけるチップ抵抗器Ａ８においては、抵抗体７３０は方形状（具体的には、長方形状）に形成されていて、内部に無抵抗部７３１ａと無抵抗部７３１ｂが設けられている。この無抵抗部７３１ａ、７３１ｂとは、抵抗体７３０に形成された開口部であり、この無抵抗部７３１ａと無抵抗部７３１ｂが設けられていることにより３つの電流経路が形成されている。この抵抗体７３０は、絶縁基板１０の上面に層状に形成されており、抵抗体７３０の端部は上面電極２２ａ、２２ｂの上面に積層している。また、抵抗体７３０の平面視における内部には、該無抵抗部７３１ａからＹ方向に直線状に伸びたトリミングカーフ７３２ａと、該無抵抗部７３１ｂからＹ方向に直線状に伸びたトリミングカーフ７３２ｂが設けられている。このトリミングカーフ７３２ａとトリミングカーフ７３２ｂは、抵抗体７３０全体の抵抗値を所定の値に調整するために形成されたものであり、従来と同様に、レーザートリマを用いて形成されたものである。
【０１０３】
ここで、無抵抗部７３１ａのＹ方向における形成位置は抵抗体７３０の左側に設けられ、無抵抗部７３１ｂのＹ方向における形成位置は抵抗体７３０の右側に設けられ、抵抗体７３０の左端から無抵抗部７３１ａの左端までの距離α１と、抵抗体７３０の右端から無抵抗部７３１ｂの右端までの距離はα３は同一に形成されている。また、無抵抗部７３１ａの右端と無抵抗部７３２ｂの左端の間の距離α２（第１の幅）は、α１（第２の幅）やα３（第２の幅）よりも大きく形成され、これにより、トリミングカーフが設けられていない状態では、図１１において、真ん中の電流経路が左側の電流経路や右側の電流経路よりも幅広に形成されている。
【０１０４】
また、トリミングカーフ７３２ａの先端からトリミングカーフ７３２ｂの先端までの距離α４は、距離α１や距離α３と同一又は略同一となっている。これにより、各電流経路の最小幅は、同一又は略同一に形成されている。なお、トリミングカーフ７３２ａの長さとトリミングカーフ７３２ｂの長さとは同一に形成されている。また、無抵抗部７３１ａ、７３１ｂは、Ｘ方向には抵抗体７３０の中央位置に設けられている。なお、この実施例８は上記実施例２に対応し、実施例２においても、トリミング前の状態では、真ん中の幅広の電流経路と、両側の幅狭の電流経路とが設けられ、幅広の電流経路にトリミングを行って各電流経路の最小幅を均一にしているが、この実施例８は、これを１つの抵抗体によって実現しているものといえる。
【０１０５】
この実施例８において、上記幅α１や幅α２や幅α３は、上記「基本電流経路幅」に当たり、また、上記幅α１や幅α３や幅α４は、上記「電流経路の最小幅」に当たり、また、上記幅α１や幅α３は、「トリミングカーフが形成されていない電流経路の最小幅 」に当たり、また、上記幅α４は、「トリミングカーフが形成されている電流経路の最小幅」に当たる。
【０１０６】
また、上記構成のチップ抵抗器Ａ８の製造方法は、上記各実施例と同様であるので、詳しい説明を省略するが、抵抗体７３０を形成するに当たっては、トリミングカーフ７３２ａ、７３２ｂが形成されていない抵抗体７３０を形成し（つまり、開口部としての無抵抗部７３１ａと無抵抗部７３１ｂが形成された形状の抵抗体ペーストを印刷した後に、乾燥・焼成する）、その後、抵抗体７３０のトリミングを行ってトリミングカーフ７３２ａとトリミングカーフ７３２ｂを形成する。つまり、無抵抗部７３１ａの右端位置から無抵抗部７３１ｂ側に向けてトリミングカーフを形成していき、上面電極２２ａと上面電極２２ｂ間の抵抗値が所定の値になるまでトリミングしていく。なお、トリミングカーフ７３２ａの長さについてのデータを得ておき、所定の長さになるまでトリミングカーフ７３２ａを形成するようにしてもよい。次に、無抵抗部７３１ｂの左端位置から無抵抗部７３１ａ側に向けてトリミングカーフを形成していき、上面電極２２ａと上面電極２２ｂ間の抵抗値が所定の値（第２の所定値）になるまでトリミングしていく。つまり、トリミングカーフ７３２ａを形成した後に、トリミングカーフ７３２ｂを形成する。なお、抵抗体７３０にトリミングカーフを形成することにより、距離α４が距離α１や距離α３と同一又はほぼ同一になった場合に、所定の抵抗値又は該抵抗値に近い抵抗値となるように、トリミングカーフ形成前の抵抗体７３０を形成しておく。つまり、抵抗体７３０のＹ方向とＸ方向の幅や、無抵抗部７３１ａ、７３１ｂの形成位置と大きさと、上面電極２２ａと上面電極２２ｂ間の抵抗値が所定の値となる場合のトリミングカーフのＹ方向の長さとの関係のデータを入手しておき、距離α４と距離α１と距離α３とが同一又はほぼ同一となった場合に所定の抵抗値となるように、抵抗体７３０の外形の大きさと、距離α１と、距離α２と、距離α３と、無抵抗部７３１ａ、７３１ｂの大きさと形成位置を設定しておく。なお、両トリミングカーフの長さが同一になる場合のトリミングカーフ７３２ａの長さのデータも得ておくようにしてもよい。また、トリミングに当たっては、無抵抗部の端部からやや離れた位置からトリミングを開始して、抵抗体７３０の内部からトリミングカーフが形成されるのを防止するようにする。
【０１０７】
上記構成のチップ抵抗器Ａ８の配線基板への実装は、上記各実施例と同様に行われるので、詳しい説明を省略する。
【０１０８】
上記構成のチップ抵抗器Ａ８によれば、トリミング前の状態では１つの抵抗体に無抵抗部を設けることにより幅広の電流経路と幅狭の電流経路とが設けられ、幅広の電流経路の側にトリミングカーフが設けられるので、各電流経路の全てにトリミングカーフを形成する場合に比べてトリミング作業の手間を小さくでき、チップ抵抗器製造に際しての作業性を向上させることができる。
【０１０９】
また、抵抗体７３０の左側の電流経路の最小幅（つまり、α１）と、抵抗体７３０の真ん中の電流経路の最小幅（つまり、α４）と、抵抗体７３０の右側の電流経路最小幅（つまり、α３）とを同一又はほぼ同一にするので、電流経路の最小幅を均一にでき、よって、１つの電流経路の領域の電気的特性や耐久性が他に比べて低下することがない。また、特に、トリミングに際しては、無抵抗部７３１ａ、７３１ｂの位置からスタートするので、抵抗体７３０の内部からトリミングカーフが形成されるのを防止でき、電極経路の幅が極端に小さい状態を防止することができる。つまり、本実施例の場合には、トリミングのスタート位置や抵抗体の形成位置が多少Ｙ方向にずれても、無抵抗部７３１ａ、７３１ｂからトリミングカーフを形成するので、そのようなおそれがない。
【実施例９】
【０１１０】
また、上記の実施例８においては、無抵抗部７３１ａ、７３１ｂの内側にトリミングカーフを形成するものとしたが、無抵抗部の外側にトリミングカーフを形成するものとしてもよい。
【０１１１】
つまり、図１２に示すように、実施例９におけるチップ抵抗器Ａ９においては、抵抗体８３０は方形状（具体的には、長方形状）に形成されていて、内部に無抵抗部８３１ａと無抵抗部８３１ｂが設けられている。この無抵抗部８３１ａ、８３１ｂとは、抵抗体８３０に形成された開口部であり、この無抵抗部８３１ａと無抵抗部８３１ｂが設けられていることにより３つの電流経路が形成されている。この抵抗体８３０は、絶縁基板１０の上面に層状に形成されており、抵抗体８３０の端部は上面電極２２ａ、２２ｂの上面に積層している。また、抵抗体８３０の平面視における内部には、該無抵抗部８３１ａからＹ方向に直線状に伸びたトリミングカーフ８３２ａと、該無抵抗部８３１ｂからＹ方向に直線状に伸びたトリミングカーフ８３２ｂが設けられている。
【０１１２】
ここで、無抵抗部８３１ａのＹ方向における形成位置は抵抗体８３０の左側に設けられ、無抵抗部８３１ｂのＹ方向における形成位置は抵抗体８３０の右側に設けられ、抵抗体８３０の左端から無抵抗部８３１ａの左端までの距離α１（第１の幅）と、抵抗体８３０の右端から無抵抗部８３１ｂの右端までの距離はα３（第１の幅）は同一に形成されている。また、無抵抗部８３１ａの右端と無抵抗部８３１ｂの左端の間の距離α２（第２の幅）は、α１やα２よりも小さく形成され、これにより、トリミングカーフが設けられていない状態では、図１２において、真ん中の電流経路が左側の電流経路や右側の電流経路よりも幅狭に形成されている。
【０１１３】
また、抵抗体８３０の左端からトリミングカーフ８３２ａの先端までの距離α４は、距離α２と同一又は略同一となっている。また、抵抗体８３０の右端からトリミングカーフ８３２ｂの先端までの距離α５は、距離α２と同一又は略同一となっている。これにより、各電流経路の最小幅は、同一又は略同一に形成されている。なお、トリミングカーフ８３２ａの長さとトリミングカーフ８３２ｂの長さとは同一に形成されている。また、無抵抗部８３１ａ、８３１ｂは、Ｘ方向には抵抗体８３０の中央位置に設けられている。なお、この実施例９は上記実施例３に対応し、実施例３においても、トリミング前の状態では、左右の幅広の電流経路と、真ん中の幅狭の電流経路とが設けられ、幅広の電流経路にトリミングを行って各電流経路の最小幅を均一にしているが、この実施例９は、これを１つの抵抗体によって実現しているものといえる。
【０１１４】
この実施例９において、上記幅α１や幅α２や幅α３は、上記「基本電流経路幅」に当たり、また、上記幅α２や幅α４や幅α５は、上記「電流経路の最小幅」に当たり、また、上記幅α２は、「トリミングカーフが形成されていない電流経路の最小幅 」に当たり、また、上記幅α４や幅α５は、「トリミングカーフが形成されている電流経路の最小幅」に当たる。
【０１１５】
また、上記構成のチップ抵抗器Ａ９の製造方法は、上記各実施例と同様であるので、詳しい説明を省略するが、抵抗体８３０を形成するに当たっては、トリミングカーフ８３２ａ、８３２ｂが形成されていない抵抗体８３０を形成し（つまり、開口部としての無抵抗部８３１ａと無抵抗部８３１ｂが形成された形状の抵抗体ペーストを印刷した後に、乾燥・焼成する）、その後、抵抗体８３０のトリミングを行ってトリミングカーフ８３２ａとトリミングカーフ８３２ｂを形成する。つまり、無抵抗部８３１ａの左端位置から抵抗体８３０の左端側に向けてトリミングカーフを形成していき、上面電極２２ａと上面電極２２ｂ間の抵抗値が所定の値になるまでトリミングしていく。なお、トリミングカーフ８３２ａの長さについてのデータを得ておき、所定の長さになるまでトリミングカーフ８３２ａを形成するようにしてもよい。次に、無抵抗部８３１ｂの右端位置から抵抗体８３０の右端側に向けてトリミングカーフを形成していき、上面電極２２ａと上面電極２２ｂ間の抵抗値が所定の値（第２の所定値）になるまでトリミングしていく。つまり、トリミングカーフ８３２ａを形成した後に、トリミングカーフ８３２ｂを形成する。なお、抵抗体８３０にトリミングカーフを形成することにより、距離α４や距離α５が距離α２と同一又はほぼ同一になった場合に、所定の抵抗値又は該抵抗値に近い抵抗値となるように、トリミングカーフ形成前の抵抗体８３０を形成しておく。つまり、抵抗体８３０のＹ方向とＸ方向の幅や、無抵抗部８３１ａ、８３１ｂの形成位置と大きさと、上面電極２２ａと上面電極２２ｂ間の抵抗値が所定の値となる場合のトリミングカーフのＹ方向の長さとの関係のデータを入手しておき、距離α４と距離α５が、距離α２と同一又はほぼ同一となった場合に所定の抵抗値となるように、抵抗体８３０の外形の大きさと、距離α１と、距離α２と、距離α３と、無抵抗部８３１ａ、８３１ｂの大きさと形成位置を設定しておく。なお、両トリミングカーフの長さが同一になる場合のトリミングカーフ８３２ａの長さのデータも得ておくようにしてもよい。また、トリミングに当たっては、無抵抗部の端部からやや離れた位置からトリミングを開始して、抵抗体８３０の内部からトリミングカーフが形成されるのを防止するようにする。
【０１１６】
上記構成のチップ抵抗器Ａ９の配線基板への実装は、上記各実施例と同様に行われるので、詳しい説明を省略する。
【０１１７】
上記構成のチップ抵抗器Ａ９によれば、トリミング前の状態では１つの抵抗体に無抵抗部を設けることにより幅広の電流経路と幅狭の電流経路とが設けられ、幅広の電流経路の側にトリミングカーフが設けられるので、各電流経路の全てにトリミングカーフを形成する場合に比べてトリミング作業の手間を小さくでき、チップ抵抗器製造に際しての作業性を向上させることができる。
【０１１８】
また、抵抗体８３０の左側の電流経路の最小幅（つまり、α４）と、抵抗体８３０の真ん中の電流経路の最小幅（つまり、α２）と、抵抗体８３０の右側の電流経路最小幅（つまり、α５）とを同一又はほぼ同一にするので、電流経路の最小幅を均一にでき、よって、１つの電流経路の領域の電気的特性や耐久性が他に比べて低下することがない。また、特に、トリミングに際しては、無抵抗部８３１ａ、８３１ｂの位置からスタートするので、抵抗体８３０の内部からトリミングカーフが形成されるのを防止でき、電極経路の幅が極端に小さい状態を防止することができる。
【０１１９】
なお、上記の説明では、抵抗体に１つ又は２つの無抵抗部を設け、幅広の電流経路に該無抵抗部から連続したトリミングカーフを設けるとしたが、３つ以上の複数の無抵抗部を設けて、幅広の電流経路と幅狭の電流経路を設け、幅広の電流経路にトリミングカーフを形成して、各電流経路の最小幅を同一にするようにしてもよい。
【０１２０】
例えば、Ｙ方向に３つの無抵抗部を設けて、抵抗体の左端と左側の無抵抗部間の距離をα１、左側の無抵抗部と中央の無抵抗部間の距離をα２、中央の無抵抗部と右側の無抵抗部間の距離をα３、右側の無抵抗部と抵抗体の右端との距離をα４とし、α２＝α３＞α１＝α４とし、左側の無抵抗部から右側にトリミングカーフを形成するとともに、右側の無抵抗部から左側にトリミングカーフを形成して各電流経路の最小幅を同一にするようにする。
【０１２１】
さらに、無抵抗部を形成することにより形成される電流経路の幅を２種類ではなく３種類以上とし、トリミングカーフの長さを異ならせることにより、各抵抗体の電流経路の最小幅を同一にするようにしてもよい。
【０１２２】
なお、上記の各実施例において、実施例２のチップ抵抗器Ａ２や、実施例３のチップ抵抗器Ａ３や、実施例６のチップ抵抗器Ａ６や、実施例８のチップ抵抗器Ａ８や、実施例９のチップ抵抗器Ａ９においては、抵抗体全体がトリミングカーフを含めてＸ方向の中心軸を中止に線対称に形成されているので、抵抗体において均等に負荷が加わり、抵抗体のある部分の電気的特性が他に比べて悪化することがない。
【０１２３】
例えば、奇数の個別抵抗体を設けたり、偶数の無抵抗部（開口部）を設けて奇数の電流経路を設ける場合には、中央の個別抵抗体や電流経路を幅狭とし、線対称の位置にある個別抵抗体や電流経路にトリミングカーフを設ける。その場合、トリミングカーフも線対称となるように形成する。また、奇数の個別抵抗体を設けたり、偶数の無抵抗部（開口部）を設けて奇数の電流経路を設ける場合には、中央の個別抵抗体や電流経路を幅広とし、該幅広の個別抵抗体や電流経路にトリミングカーフを設ける。その場合、トリミングカーフも線対称となるように形成する。
【０１２４】
また、偶数の個別抵抗体を設けたり、奇数の無抵抗部（開口部）を設けて偶数の電流経路を設ける場合には、線対称の位置にある個別抵抗体や電流経路を幅広とし、該幅広の個別抵抗体や電流経路にトリミングカーフを設ける。その場合、トリミングカーフも線対称となるように形成する。
【０１２５】
また、実施例２のチップ抵抗器Ａ２や、実施例３のチップ抵抗器Ａ３や、実施例４のチップ抵抗器Ａ４や、実施例５のチップ抵抗器Ａ５や、実施例６のチップ抵抗器Ａ６や、実施例８のチップ抵抗器Ａ８や、実施例９のチップ抵抗器Ａ９においては、トリミングカーフ形成前の抵抗体は線対称に形成されているので、トリミングカーフ形成時に１８０度方向を誤った場合でも正しくトリミングを行うことができる。
【０１２６】
なお、上記の説明において、２つのトリミングカーフを形成する場合に、まず、１つのトリミングカーフを形成し、その後、他のトリミングカーフを形成するものとして説明したが、２つのトリミングカーフを同時に形成するようにしてもよい。
【０１２７】
また、上記の各実施例における説明では、トリミングカーフの形状は直線状であるとしたが、これには限られず、例えば、Ｌ字状としてもよい。
【０１２８】
また、上記の説明では、幅広の抵抗体や電流経路におけるトリミングカーフ形成後の電流経路の最小幅（すなわち、トリミングカーフ形成後の残幅）が、幅狭の抵抗体や電流経路の電流経路の最小幅と同一又は略同一であるとしたが、幅広の抵抗体や電流経路におけるトリミングカーフ形成後の電流経路の最小幅（すなわち、トリミングカーフ形成後の残幅）が、幅狭の抵抗体や電流経路の電流経路の最小幅よりも大きくするようにしてもよい。これは、トリミングを行った電流経路については、負荷特性が劣化する場合が考えられるので、トリミングを行う方をやや幅広にしておくのである。
【０１２９】
また、上記の説明では、トリミングカーフは、個別抵抗体の端部や開口部の位置から形成するものとしたが、抵抗体の形成位置のずれやトリミングカーフの形成位置のずれの問題を解消できれば、幅広の抵抗体の内部にトリミングカーフを設けて、その両側に２つの電流経路を設けるようにしてもよい。その場合も幅狭の抵抗体にはトリミングを行わないので、トリミングの作業性を向上させることができる。
【図面の簡単な説明】
【０１３０】
【図１】本発明の実施例１に基づくチップ抵抗器の要部を示す平面図である。
【図２】本発明の実施例１に基づくチップ抵抗器の縦断面図である。
【図３】本発明の実施例１に基づくチップ抵抗器の構成を説明するための説明図である。
【図４】本発明の実施例１に基づくチップ抵抗器の実装状態を示す縦断面図である。
【図５】本発明の実施例２に基づくチップ抵抗器の要部を示す平面図である。
【図６】本発明の実施例３に基づくチップ抵抗器の要部を示す平面図である。
【図７】本発明の実施例４に基づくチップ抵抗器の要部を示す平面図である。
【図８】本発明の実施例５に基づくチップ抵抗器の要部を示す平面図である。
【図９】本発明の実施例６に基づくチップ抵抗器の要部を示す平面図である。
【図１０】本発明の実施例７に基づくチップ抵抗器の要部を示す平面図である。
【図１１】本発明の実施例８に基づくチップ抵抗器の要部を示す平面図である。
【図１２】本発明の実施例９に基づくチップ抵抗器の要部を示す平面図である。
【符号の説明】
【０１３１】
Ａ１、Ａ２、Ａ３、Ａ４、Ａ５、Ａ６、Ａ７、Ａ８、Ａ９  チップ抵抗器
１０  絶縁基板
２０、２０ａ、２０ｂ  電極部
２４  側面電極
２６  メッキ
３０、３０ａ、３０ｂ、１３０、１３０ａ、１３０ｂ、１３０ｃ、２３０、２３０ａ、２３０ｂ、２３０ｃ、３３０、３３０ａ、３３０ｂ、３３０ｃ、４３０、４３０ａ、４３０ｂ、４３０ｃ、５３０、５３０ａ、５３０ｂ、５３０ｃ、６３０、７３０、８３０  抵抗体
３２、１３２ａ、１３２ｂ、２３２ａ、２３２ｂ、３３２、４３２ａ、４３２ｂ、５３２ａ、５３２ｂ、６３２、７３２ａ、７３２ｂ、８３２ａ、８３２ｂ  トリミングカーフ
６３１、７３１ａ、７３１ｂ  ８３１ａ、８３１ｂ  無抵抗部
【図１】
2005123424.tif 000003
【図２】
2005123424.tif 000004
【図３】
2005123424.tif 000005
【図４】
2005123424.tif 000006
【図５】
2005123424.tif 000007
【図６】
2005123424.tif 000008
【図７】
2005123424.tif 000009
【図８】
2005123424.tif 000010
【図９】
2005123424.tif 000011
【図１０】
2005123424.tif 000012
【図１１】
2005123424.tif 000013
【図１２】
2005123424.tif 000014